(57)【要約】少なくとも移動局と、ひとつ以上の基地局からなる通信システムにおける基地局の送信電力制御方法において、信号を送信しないスロットが存在する通信と、信号を送信しないスロットが存在しない通信とで、送信電力を所定の基準電力に近づける割合を変えることを特徴とする。これにより、送信電力制御において、下り送信電力が希望の送信電力と乖離しすぎることを防ぐことができる。
2007111132.tif 000002
【特許請求の範囲】
【請求項１】
少なくとも移動局と１以上の基地局からなる通信システムにおける基地局の送信電力制御方法であって、
信号を送信しないスロットが存在する通信と、信号を送信しないスロットが存在しない通信とで、送信電力を所定の基準電力に近づける割合を変えることを特徴とする送信制御方法。
【請求項２】
前記送信電力制御方法は、前記移動局と回線を設定している基地局の送信電力を所定の基準電力に基づいて更新するパワーランシングからなる送信電力制御方法であり、
前記所定の基準電力は、基地局制御装置が決定する基準電力オフセット値と、基地局が送信する共通パイロット信号の電力値とからなる
ことを特徴とする請求項１に記載の送信電力制御方法。
【請求項３】
信号の送信を停止するスロットが存在する通信における前記所定の基準電力に近づける割合を、信号の送信を停止するスロットが存在しない通信における前記基準電力に近づける割合よりも低くすることを特徴とする請求項１又は請求項２に記載の送信制御方法。
【請求項４】
前記信号の送信を停止するスロットが存在する通信が、移動局が制御信号を間欠的に送信している場合であり、
前記信号の送信を停止するスロットが存在しない通信が、移動局が制御信号を連続的に送信している場合である
ことを特徴とする請求項１から請求項３のいずれかに記載の送信制御方法。
【請求項５】
下り回線の電力制御を行っている通信方法における送信電力制御方法であって、
P(k-1) は(k-1)スロット時の送信電力、P_TPC(k) は閉ループ型電力制御に基づくkスロット時の電力調整値、R_gatingは変数、P_bal(k) は調整期間内のスロットkにおけるパワーバランスの調整量としたとき、下り回線の送信電力の調整期間におけるkスロット時の送信電力P(k)を、
式  P(k) = P(k - 1) + P_TPC(k) + R_gating * P_bal(k)
に基づいて制御することを特徴とする送信電力制御方法。
【請求項６】
移動局が制御信号を間欠的に送信する間欠送信モードにあると判断される場合、前記R_gatingは１未満の値であることを特徴とする請求項５に記載の送信電力制御方法。
【請求項７】
ある調整期間において、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは変数、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = (1-r)*(P_ref + P_P-CPICH - P_init)
に基づいて制御する送信電力制御方法において、
移動局が制御信号を間欠的に送信する間欠送信モードにあると判断される場合、前記rと異なる変数であるr_gatingを用いて、送信電力の調整期間におけるkスロット時の送信電力P(k)を、
P(k) = P(k-1) + P_TPC(k) + P_bal(k)
Sum P_bal(k) = (1-r_gating)* (P_ref + P_P-CPICH - P_init)
に基づいて制御することを特徴とする送信電力制御方法。
【請求項８】
下り回線の電力制御を行っている通信方法における送信電力制御方法であって、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは定数、P_ref は基準電力、P_P-CPICHは共通パイロット信号の電力、P_initは調整期間開始時の送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御することを特徴とする送信電力制御方法。
【請求項９】
下り回線の電力制御を行っている通信方法における送信電力制御方法であって、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは調整期間内で移動局から制御信号が送信されるスロット数の割合に基づいて決定される値、P_refは基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御することを特徴とする送信電力制御方法。
【請求項１０】
移動局が制御信号を間欠的に送信する間欠送信モードにあると判断される場合、前記f_gatingは１未満の値であることを特徴とする請求項８又は請求項９に記載の送信電力制御方法。
【請求項１１】
調整期間の途中で、移動局が間欠送信モードと判断された場合、前記調整期間中は現在のパワーバランシングの電力制御を行い、前記調整期間の次の調整期間から前記間欠送信モードのパワーバランシングの電力制御を行うことを特徴とする請求項５から請求項１０のいずれかに記載の送信電力制御方法。
【請求項１２】
調整期間の途中で、移動局が間欠送信モードと判断された場合、前記調整期間中は下り回線の電力制御を行ず、前記調整期間の次の調整期間から前記間欠送信モードの電力制御を行うことを特徴とする請求項５から請求項１０のいずれかに記載の送信電力制御方法。
【請求項１３】
調整期間の途中で、移動局が間欠送信モードと判断された場合、前記調整期間中は、前記バランス調整期間の残存時間の割合に応じてパワーバランスの調整量を変更することを特徴とする請求項５から請求項１０のいずれかに記載の送信電力制御方法。
【請求項１４】
電力制御を行っている通信方法における送信電力制御方法であって、
電力制御に関する信号の受信状態に基づいて、送信電力の制御を実行又は停止することを特徴とする送信電力制御方法。
【請求項１５】
電力制御を行っている通信方法における送信電力制御方法であって、
電力制御に関する信号の受信状態に基づいて、異なる二つの送信電力制御方法のいずれかを用いることを特徴とする送信電力制御方法。
【請求項１６】
複数の基地局の送信電力のバランス調整を行うようなシステムにおける送信電力制御方法において、
基地局に対する制御信号が送信されないスロットが存在する場合の第１のバランス調整方法と、制御信号が送信されないスロットが存在しない場合の第２のバランス調整方法との２つの調整方法が含まれることを特徴とする送信電力制御方法。
【請求項１７】
少なくとも移動局と１以上の基地局からなる通信システムであって、
信号を送信しないスロットが存在する通信と、信号を送信しないスロットが存在しない通信とで、送信電力を所定の基準電力に近づける割合を変える送信電力制御手段を有することを特徴とする通信システム。
【請求項１８】
前記送信電力制御手段は、前記移動局と回線を設定している基地局の送信電力を所定の基準電力に基づいて更新するパワーランシングを行い、
前記所定の基準電力は、基地局制御装置が決定する基準電力オフセット値と、基地局が送信する共通パイロット信号の電力値とからなる
ことを特徴とする請求項１７に記載の通信システム。
【請求項１９】
前記送信電力制御手段は、信号の送信を停止するスロットが存在する通信における前記所定の基準電力に近づける割合を、信号の送信を停止するスロットが存在しない通信における前記基準電力に近づける割合よりも低くすることを特徴とする請求項１７又は請求項１８に記載の通信システム。
【請求項２０】
前記信号の送信を停止するスロットが存在する通信が、移動局が制御信号を間欠的に送信している場合であり、
前記信号の送信を停止するスロットが存在しない通信が、移動局が制御信号を連続的に送信している場合である
ことを特徴とする請求項１７から請求項１９のいずれかに記載の通信システム。
【請求項２１】
下り回線の電力制御を行っている通信システムであって、
P(k-1) は(k-1)スロット時の送信電力、P_TPC(k) は閉ループ型電力制御に基づくkスロット時の電力調整値、R_gatingは変数、P_bal(k) は調整期間内のスロットkにおけるパワーバランスの調整量としたとき、下り回線の送信電力の調整期間におけるkスロット時の送信電力P(k)を、
式  P(k) = P(k - 1) + P_TPC(k) + R_gating * P_bal(k)
に基づいて制御する送信電力制御手段を有することを特徴とする通信システム。
【請求項２２】
移動局が制御信号を間欠的に送信する間欠送信モードにあると判断される場合、前記R_gatingは１未満の値であることを特徴とする請求項２１に記載の通信システム。
【請求項２３】
ある調整期間において、移動局が制御信号を連続的に送信する通常モードと判断される場合、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは変数、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = (1-r)*(P_ref + P_P-CPICH - P_init)
に基づいて制御する通信システムにおいて、
移動局が制御信号を間欠的に送信する間欠送信モードにあると判断される場合、前記rと異なる変数であるr_gatingを用いて、送信電力の調整期間におけるkスロット時の送信電力P(k)を、
P(k) = P(k-1) + P_TPC(k) + P_bal(k)
Sum P_bal(k) = (1-r_gating)* (P_ref + P_P-CPICH - P_init)
に基づいて制御する送信電力制御手段を有することを特徴とする通信システム。
【請求項２４】
下り回線の電力制御を行っている通信システムであって、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは定数、P_ref は基準電力、P_P-CPICHは共通パイロット信号の電力、P_initは調整期間開始時の送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する送信電力制御手段を有することを特徴とする通信システム。
【請求項２５】
下り回線の電力制御を行っている通信システムであって、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは調整期間内で移動局から制御信号が送信されるスロット数の割合に基づいて決定される値、P_refは基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する送信電力制御手段を有することを特徴とする通信システム。
【請求項２６】
移動局が制御信号を間欠的に送信する間欠送信モードにあると判断される場合、前記f_gatingは１未満の値であることを特徴とする請求項２４又は請求項２５に記載の通信システム。
【請求項２７】
前記送信電力制御手段は、調整期間の途中で、移動局が間欠送信モードと判断された場合、前記調整期間中は現在のパワーバランシングの電力制御を行い、前記調整期間の次の調整期間から前記間欠送信モードのパワーバランシングの電力制御を行うことを特徴とする請求項２１から請求項２６のいずれかに記載の通信システム。
【請求項２８】
前記送信電力制御手段は、調整期間の途中で、移動局が間欠送信モードと判断された場合、前記調整期間中は下り回線の電力制御を行ず、前記調整期間の次の調整期間から前記間欠送信モードの電力制御を行うことを特徴とする請求項２１から請求項２６のいずれかに記載の通信システム。
【請求項２９】
前記送信電力制御手段は、調整期間の途中で、移動局が間欠送信モードと判断された場合、前記調整期間中は、前記バランス調整期間の残存時間の割合に応じてパワーバランスの調整量を変更することを特徴とする請求項２１から請求項２６のいずれかに記載の通信システム。
【請求項３０】
パワーバランシングの電力制御を行っている通信システムであって、
電力制御に関する信号の受信状態に基づいて、送信電力制御の実行又は停止する手段を有することを特徴とする通信システム。
【請求項３１】
パワーバランシングの電力制御を行っている通信システムであって、
電力制御に関する信号の受信状態に基づいて、異なる送信電力制御のいずれかを用いて送信電力制御を行う手段を有することを特徴とする通信システム。
【請求項３２】
複数の基地局の送信電力のバランス調整を行う通信システムであって、
基地局に対する制御信号が送信されないスロットが存在する場合の第１のバランス調整方法と、制御信号が送信されないスロットが存在しない場合の第２のバランス調整方法との２つの調整方法のいずれかを用いて、送信電力のバランス調整を行う手段を有することを特徴とする通信システム。
【請求項３３】
少なくとも移動局と１以上の基地局からなる通信システムにおける基地局であって、
信号を送信しないスロットが存在する通信と、信号を送信しないスロットが存在しない通信とで、送信電力を所定の基準電力に近づける割合を変える送信電力制御手段を有することを特徴とする基地局。
【請求項３４】
前記送信電力制御手段は、前記移動局と回線を設定している基地局の送信電力を所定の基準電力に基づいて更新するパワーランシングを行い、
前記所定の基準電力は、基地局制御装置が決定する基準電力オフセット値と、基地局が送信する共通パイロット信号の電力値とからなる
ことを特徴とする請求項３３に記載の基地局。
【請求項３５】
前記送信電力制御手段は、信号の送信を停止するスロットが存在する通信における前記所定の基準電力に近づける割合を、信号の送信を停止するスロットが存在しない通信における前記基準電力に近づける割合よりも低くすることを特徴とする請求項３３又は請求項３４に記載の基地局。
【請求項３６】
前記信号の送信を停止するスロットが存在する通信が、移動局が制御信号を間欠的に送信している場合であり、
前記信号の送信を停止するスロットが存在しない通信が、移動局が制御信号を連続的に送信している場合である
ことを特徴とする請求項３３から請求項３５のいずれかに記載の基地局。
【請求項３７】
下り回線の電力制御を行っている通信システムにおける基地局であって、
P(k-1) は(k-1)スロット時の送信電力、P_TPC(k) は閉ループ型電力制御に基づくkスロット時の電力調整値、R_gatingは変数、P_bal(k) は調整期間内のスロットkにおけるパワーバランスの調整量としたとき、下り回線の送信電力の調整期間におけるkスロット時の送信電力P(k)を、
式  P(k) = P(k - 1) + P_TPC(k) + R_gating * P_bal(k)
に基づいて制御する送信電力制御手段を有することを特徴とする基地局。
【請求項３８】
移動局が制御信号を間欠的に送信する間欠送信モードにあると判断される場合、前記R_gatingは１未満の値であることを特徴とする請求項３７に記載の基地局。
【請求項３９】
ある調整期間において、移動局が制御信号を連続的に送信する通常モードと判断される場合、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは変数、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = (1-r)*(P_ref + P_P-CPICH - P_init)
に基づいて制御する基地局において、
移動局が制御信号を間欠的に送信する間欠送信モードにあると判断される場合、前記rと異なる変数であるr_gatingを用いて、送信電力の調整期間におけるkスロット時の送信電力P(k)を、
P(k) = P(k-1) + P_TPC(k) + P_bal(k)
Sum P_bal(k) = (1-r_gating)* (P_ref + P_P-CPICH - P_init)
に基づいて制御する送信電力制御手段を有することを特徴とする基地局。
【請求項４０】
下り回線の電力制御を行っている通信システムにおける基地局であって、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは定数、P_ref は基準電力、P_P-CPICHは共通パイロット信号の電力、P_initは調整期間開始時の送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する送信電力制御手段を有することを特徴とする基地局。
【請求項４１】
下り回線の電力制御を行っている通信システムにおける基地局であって、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは調整期間内で移動局から制御信号が送信されるスロット数の割合に基づいて決定される値、P_refは基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する送信電力制御手段を有することを特徴とする基地局。
【請求項４２】
移動局が制御信号を間欠的に送信する間欠送信モードにあると判断される場合、前記f_gatingは１未満の値であることを特徴とする請求項４０又は請求項４１に記載の基地局。
【請求項４３】
前記送信電力制御手段は、調整期間の途中で、移動局が間欠送信モードと判断された場合、前記調整期間中は現在のパワーバランシングの電力制御を行い、前記調整期間の次の調整期間から前記間欠送信モードのパワーバランシングの電力制御を行うことを特徴とする請求項３７から請求項４２のいずれかに記載の基地局。
【請求項４４】
前記送信電力制御手段は、調整期間の途中で、移動局が間欠送信モードと判断された場合、前記調整期間中は下り回線の電力制御を行ず、前記調整期間の次の調整期間から前記間欠送信モードの電力制御を行うことを特徴とする請求項３７から請求項４３のいずれかに記載の基地局。
【請求項４５】
前記送信電力制御手段は、調整期間の途中で、移動局が間欠送信モードと判断された場合、前記調整期間中は、前記バランス調整期間の残存時間の割合に応じてパワーバランスの調整量を変更することを特徴とする請求項３７から請求項４３のいずれかに記載の基地局。
【請求項４６】
パワーバランシングの電力制御を行っている基地局であって、
電力制御に関する信号の受信状態に基づいて、送信電力制御の実行又は停止する手段を有することを特徴とする基地局。
【請求項４７】
パワーバランシングの電力制御を行っている通信システムにおける基地局であって、
電力制御に関する信号の受信状態に基づいて、異なる送信電力制御のいずれかを用いて送信電力制御を行う手段を有することを特徴とする基地局。
【請求項４８】
複数の基地局の送信電力のバランス調整を行う通信システムにおける基地局であって、
基地局に対する制御信号が送信されないスロットが存在する場合の第１のバランス調整方法と、制御信号が送信されないスロットが存在しない場合の第２のバランス調整方法との２つの調整方法のいずれかを用いて、送信電力のバランス調整を行う手段を有することを特徴とする基地局。
【請求項４９】
少なくとも移動局と１以上の基地局からなる通信システムにおける基地局制御局であって、
信号を送信しないスロットが存在する通信における送信電力制御のパラメータと、信号を送信しないスロットが存在しない通信における送信電力制御のパラメータとを、基地局に送信する手段を有することを特徴とする基地局制御装置。
【請求項５０】
少なくとも移動局と１以上の基地局からなる通信システムにおける基地局制御局であって、
信号を送信しないスロットが存在する通信における送信電力制御のパラメータと、信号を送信しないスロットが存在しない通信における送信電力制御のパラメータとのいずれかを、基地局に送信する手段を有することを特徴とする基地局制御装置。
【請求項５１】
少なくとも移動局と１以上の基地局からなる通信システムにおける基地局のプログラムであって、前記プログラムは、
信号を送信しないスロットが存在する通信と、信号を送信しないスロットが存在しない通信とで、送信電力を所定の基準電力に近づける割合を変える処理を前記基地局に実行させることを特徴とするプログラム。
【請求項５２】
下り回線の電力制御を行っている通信システムにおける基地局のプログラムであって、前記プログラムは、
P(k-1) は(k-1)スロット時の送信電力、P_TPC(k) は閉ループ型電力制御に基づくkスロット時の電力調整値、R_gatingは変数、P_bal(k) は調整期間内のスロットkにおけるパワーバランスの調整量としたとき、下り回線の送信電力の調整期間におけるkスロット時の送信電力P(k)を、
式  P(k) = P(k - 1) + P_TPC(k) + R_gating * P_bal(k)
に基づいて制御する処理を前記基地局に実行させることを特徴とするプログラム。
【請求項５３】
基地局のプログラムであって、
ある調整期間において、移動局が制御信号を連続的に送信する通常モードと判断される場合、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは変数、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = (1-r)*(P_ref + P_P-CPICH - P_init)
に基づいて制御する基地局において、
移動局が制御信号を間欠的に送信する間欠送信モードにあると判断される場合、前記rと異なる変数であるr_gatingを用いて、送信電力の調整期間におけるkスロット時の送信電力P(k)を、
P(k) = P(k-1) + P_TPC(k) + P_bal(k)
Sum P_bal(k) = (1-r_gating)* (P_ref + P_P-CPICH - P_init)
に基づいて制御する処理を前記基地局に実行させることを特徴とするプログラム。
【請求項５４】
下り回線の電力制御を行っている通信システムにおける基地局のプログラムであって、前記プログラムは、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは定数、P_ref は基準電力、P_P-CPICHは共通パイロット信号の電力、P_initは調整期間開始時の送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する処理を前記基地局に実行させることを特徴とするプログラム。
【請求項５５】
下り回線の電力制御を行っている通信システムにおける基地局のプログラムであって、前記プログラムは、
P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは調整期間内で移動局から制御信号が送信されるスロット数の割合に基づいて決定される値、P_ref
は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する処理を前記基地局に実行させることを特徴とするプログラム。
【請求項５６】
パワーバランシングの電力制御を行っている基地局のプログラムであって、前記プログラムは、
電力制御に関する信号の受信状態に基づいて、送信電力制御の実行又は停止する処理を前記基地局に実行させることを特徴とするプログラム。
【請求項５７】
パワーバランシングの電力制御を行っている通信システムにおける基地局のプログラムであって、前記プログラムは、
電力制御に関する信号の受信状態に基づいて、異なる送信電力制御のいずれかを用いて送信電力制御を行う処理を前記基地局に実行させることを特徴とするプログラム。
【請求項５８】
複数の基地局の送信電力のバランス調整を行う通信システムにおける基地局のプログラムであって、前記プログラムは、
基地局に対する制御信号が送信されないスロットが存在する場合の第１のバランス調整方法と、制御信号が送信されないスロットが存在しない場合の第２のバランス調整方法との２つの調整方法のいずれかを用いて、送信電力のバランス調整を行う処理を前記基地局に実行させることを特徴とするプログラム。
【発明の詳細な説明】
【技術分野】
【０００１】
本発明は送信電力制御方式、送信電力制御方法及び基地局、基地局制御装置並びにそのプログラムに関する。
【背景技術】
【０００２】
代表的な無線通信システムであるＷ−ＣＤＭＡ（Wide band-Code Division Multiple Access）システムでは、下り回線の高速パケット伝送方式であるＨＳＤＰＡ（High Speed Downlink Packet Access）や上り回線の高速パケット伝送方式であるＥＵＤＣＨ (Enhanced Uplink Dedicated Channel)が標準化されている。これらのパケット伝送方式は、基地局がスケジューリングを行って複数の移動局に時間多重または符号多重によって、データ送受信のあるときのみ無線リソースを割当てるようにし、無線リソースの使用効率を高めている。このＷ−ＣＤＭＡシステムについて図面を用いて簡単に説明する。【０００３】
図１はＷ−ＣＤＭＡシステムの一例を示す概略的なネットワーク構成図である。ここでは、複数の基地局１１、１２が基地局制御装置１０に接続され、基地局制御装置１０は更に外部のネットワークに接続可能である。複数の基地局はそれぞれ複数の移動局を収容可能であり、ここでは、移動局２１および２２が基地局１１に、移動局２４が基地局１２にされており、移動局２３がソフトハンドオーバ（適宜、ＳＨＯと記す。）中で基地局１１および１２の両方に接続されているものとする。【０００４】
移動局２１〜２４は基地局との間で上りおよび下りの個別チャネル（DPCCH: Dedicated Physical Control Channel）により制御信号を送受信している。さらに、移動局２２および２４はＨＳＤＰＡを用いてデータ受信を行い、移動局２３および２４はＥＵＤＣＨを用いてデータ送信を行っている。ＨＳＤＰＡを用いたデータ受信を行っている移動局２２および２４はHS-SCCH（High Speed-Shared Control Channel）、並びにHS-PDSCH（High Speed-Physical Downlink Shared Channel）を受信し、HS-DPCCH（High Speed-Dedicated Physical Control Channel）を送信する。また、ＥＵＤＣＨを用いたデータ送信を行っている移動局２３および２４はE-HICH (Enhanced-Hybrid ARQ Indicator Channel)、E-AGCH（Enhanced-Absolute Grant Channel）、E-RGCH（Enhanced-Relative Grant Channel）を受信し、E-DPCCH（Enhanced-Dedicated Control Channel）、E-DPDCH（Enhanced-Dedicated Data Channel）を送信する。すなわち、ＨＳＤＰＡやＥＵＤＣＨを実行中の移動局も、データ送受信のためのチャネル以外にDPCCH と呼ばれるチャネルを送受信している。DPCCHは、移動局と基地局とが同期を確保し復調のためのチャネル推定に使用するパイロット信号や閉ループ型電力制御のための制御信号であるＴＰＣ（Transmission Power Control）信号などの制御信号を送信するために用いられる。【０００５】
DPCCHの送信電力は目標品質（ここでは目標ＳＩＲ(Signal to Interference Ratio: 受信電力対干渉電力比)）に近づくように閉ループ型電力制御が行われる。例えば、上り回線のDPCCHの送信電力制御では、基地局は基地局制御装置１０が定める目標ＳＩＲと実際に受信したDPCCHのＳＩＲとを比較し、実際の受信ＳＩＲが目標ＳＩＲよりも小さい場合は、送信電力を増加させるよう指示するＴＰＣ信号を下り回線のDPCCHで送信する。それ以外の場合は、送信電力を減少させるよう指示するＴＰＣ信号を送信する。移動局はDPCCHで受信したＴＰＣ信号の指示に従ってDPCCHの電力を増減する（非特許文献１）。【０００６】
ここで、移動局が複数の基地局とDPCCHの送受信を行っている場合、すなわち移動局２３のようにソフトハンドオーバ（ＳＨＯ）状態の場合には、移動局２３は複数のＴＰＣ信号を受信するが、そのなかで一つでも電力減少を指示するＴＰＣ信号を受信すれば電力を減少させるように制御される。これは、ＳＨＯ中は複数の基地局の中のいずれか一つにおいて所望の品質を満足していれば通信が可能であるからであり、複数の基地局で十分な品質となるよう送信電力を増加させることは他ユーザへの干渉を増加させることになり好ましくないためである。【０００７】
しかしながら、この方法では、移動局までの伝搬損失が最も小さい基地局では、移動局からの制御信号をほぼ正確に受信できるが、移動局からの伝搬損失が大きい基地局では、制御信号の受信電力が小さいために移動局からの制御信号の受信に失敗することが多くなる。従って、伝播損失の大きい基地局では送信電力制御の誤りが増加し、それぞれの基地局の下り送信電力を互いに等しく保つことができなくなる。【０００８】
そこで、ソフトハンドオーバ実行中に、各基地局が互いにほぼ等しい電力で送信できる様にするパワーバランシングという送信電力制御方法が提案されている（非特許文献２）。【０００９】
次に、図２を参照して下り回線のための送信電力制御の一例について説明する。図２は、ソフトハンドーバの実行中に、基地局が移動局からのTPC信号を受けて下り回線のDPCCHの送信電力を決定するフロー図である。尚、基地局が移動局とソフトハンドオーバを開始するとき、その基地局が以前からその移動局に対して送信を行っているServing基地局であれば、送信電力Ｐは、その移動局に対する送信電力の直前の値のままとし、その基地局が新たにその移動局に対して送信を開始したNon-serving基地局であれば送信電力Ｐを初期値Ｐ０に設定するものとする。また、Serving基地局とNon-serving基地局は、制御局からソフトハンドオーバを開始するフレーム番号を通知されるものとする。【００１０】
また、以下の説明において、P(k)は調整期間内のスロットkにおける制御する送信電力、P_balは調整期間内の１スロット当たりのパワーバランスの調整量、P_bal(k)は調整期間内のkスロットにおけるパワーバランスの調整量、Iはフレーム数、kはスロットの番号であり、フレームは所定のスロット数からなり、以下の説明では１フレーム内のスロット数をLとする。尚、3GPPでは１５スロットで１フレームと規定している。更に、P_TPC(k)は閉ループ型電力制御に基づくkスロット時の調整量、Tinitは調整期間、P_refは基地局制御装置が決定する基準電力オフセット値、P_CPICHは基地局が送信する共通パイロット信号の電力値であり、rはパワーバランシングの調整割合である。【００１１】
先ず、制御局より複数基地局間の送信電力バランス制御メッセージが到着すると、初期値として、P_bal=0、I=0、k=0にリセットし（ステップ１０１、ステップ１０２、ステップ１０３）。ここで、TPC信号は移動局より一定の間隔で通知されるが、この新たに通知された下り制御命令が存在して（ステップ１０４）、そのTPC信号が電力増加を指示している場合には（ステップ１０５）、kスロットにおけるTPC信号による送信電力増減量P_TPC(k)を所定の値△TPCだけ増加させ（ステップ１０６）、そのTPC信号が電力減少を指示している場合には（ステップ１０５）、P_TPC(k)を所定の値△TPCだけ減少させる（ステップ１０７）。一方、TPC信号が受信されない場合には、P_TPC(k)=0として（ステップ１０８）、ステップ１０９に進む。【００１２】
そして、P_bal(k)= P_balとし（ステップ１０９）、kスロットにおける送信電力P(k)を式１となるように制御する（ステップ１１０）。【００１３】
P(k) = P(k-1) + P_TPC(k) + P_bal(k)      式１
尚、k=0となる場合には、P(k-1)は、前フレームの最終スロットの値を用いる。【００１４】
続いて、kを１増加し（ステップ１１１）、KがLslotになったか判断する（ステップ１１２）。KがLslotでなければ、ステップ１０４に戻り、上述した処理を続行する。一方、KがLslotとなると、Iを１増加する（ステップ１１３）。そして、I= Tinit、すなわち、調整期間が終了したかを判断する（ステップ１１４）。【００１５】
I= Tinitでなければ、ステップ１０３に戻り、上述した処理を続行する。一方、I= Tinitとなった場合、調整期間の最終スロットで送信した電力P_initをP(k-1)とする（ステップ１１５）。そして、次の調整期間に用いられるP_balを計算するため、調整期間内のP_balの合計量を式２より求める（ステップ１１６）。【００１６】
Sum P_bal = (1-r)*(P_ref + P_CPICH - P_init)      式２
続いて、TinitとLslotとを乗算した値、すなわち調整期間の全スロット数で、Sum P_balを割った値を、次の調整期間のP_balとし（ステップ１１７）、ステップ１０２に戻り、上述した処理を続行する。【００１７】
このようなパワーバランシングは、式１及び式２で規定され、Ｗ−ＣＤＭＡ規格を規定している３ＧＰＰ(3rd Generation Partnership Project)でも規定されている（非特許文献１、非特許文献２）。【００１８】
P(k) = P(k-1) + P_TPC(k) + P_bal(k)      式１
Sum P_bal = (1-r)*(P_ref + P_CPICH - P_init)      式２
ただし、３GPPにおける規定では調整期間内で具体的な調整方法については規定していない。すなわち、上述のように調整期間内の各スロットにおいて一定値だけ調整するようにSum Pbalを等分割して調整してもよいし、調整期間内の所定スロットにおいてのみ一括または数回に分割して調整してもよい。【００１９】
ところで、上述した３ＧＰＰでは、HS-PDSCHやE-DPDCHにおいて当該移動局に対するデータ送信または当該移動局からのデータ送信が行われていない場合には、上り回線のDPCCHにおいてTPCやパイロット信号等の制御信号の連続送信を行わず、所定の期間内に限られたスロットのみで、制御信号を送信する技術が提案されている(DPCCH Gatingと呼ばれる)（非特許文献３）。ここで、移動局に対してデータ送受信が行われていないとは、HS-PDSCHまたはE-DPDCHの少なくともどちらか一方のチャネルにおいて、所定時間の間、当該移動局と基地局の間で信号の送信受信が行われないことをいう。このような状況は、例えば、HSDPAを使用しウェブ閲覧を行っている移動局のユーザが、ダウンロードしたウェブページを読んでいる間（reading time）などで発生する。【００２０】
この技術を、図３を用いて説明すると、データ送信が行われている場合は、DPCCHのフレーム内のスロットで連続的にTPC信号やパイロット信号等の制御信号が送信される。このような状態を通常モードと呼ぶ。一方、データ送信が行われていない場合には、DPCCHのＮスロットのうち、x（x<N）スロットのみで間欠的、もしくは断続的にTPC信号やパイロット信号等の制御信号が送信され、それ以外のスロットでは制御信号を送信しない。このような状態を以後、間欠送信モードと呼ぶ。なお、図３では制御信号を送信するｘスロットは連続的なものとして記載されているが、必ずしも連続であることは要しない。【００２１】
【非特許文献１】3GPPTS25.214 v6.7.1 (2005-12) 3rd Generation Partnership Project; Technical Specification Group Radio Access Network; Physical layer procedures (FDD) (Release 6)）
【非特許文献２】3GPP TS25.433 v6.8.0 (2005-12) 3rd Generation Partnership Project; Technical Specification Group Radio Access Network; UTRAN Iub interface Node B Application Part (NBAP) signaling (Release 6)）
【非特許文献３】3GPP TR25.903 (v0.3.0) (2006-02) 3rdGeneration Partnership Project; Technical Specification Group Radio Access Network; Continuous Connectivity for Packet Data Users; (Release7)
【発明の開示】
【発明が解決しようとする課題】
【００２２】
ところで、上述のような、通常モードと間欠送信モードとが存在するDPCCH Gatingでは、間欠送信モードの場合、上り回線のDPCCHで移動局が基地局に対して送信しているTPC信号も一部（Nスロット中xスロット）しか送信されない。従って、閉ループ型送信電力制御におけるTPC信号による送信電力の増減もNスロットにx回しか反映されなくなる。このとき、パワーバランシングが起動されていると、これによって下り送信電力がパワーバランシングの基準電力（P_ref＋P_CPICH）に近づきすぎ、下りDPCCHの目標SIRを満足できないほど低い送信電力となったり、下りDPCCHが過剰品質になるような高い送信電力となるなどの問題が生じる。【００２３】
図４は通常モードから間欠送信モードに遷移され、DPCCHによるTPCが送信されない状態が続いた後、通常モードに遷移した場合の下り送信電力の変化を示した図である。ここでは、例えば、パワーバランシングの調整周期を1フレーム（=15スロット）、調整割合rを0.5、間欠送信モードにおける間欠送信周期Nを45スロット、送信スロット数を3スロットと仮定する。【００２４】
図４に示されるように、通常モードではTPC信号も毎スロット送信されるので、TPC信号による閉ループ型電力制御に基づく調整量がスロット毎に実行され、目標ＳＩＲを満足できるような送信電力に近づくように制御される。しかしながら、間欠送信モードになると、DPCCHにおいて制御信号が送信されないスロットにおいてはTPC信号による閉ループ型電力制御に基づく調整量が電力に反映されない。そのため、パワーバランスの調整量P_balが電力を減少させる方向になっている場合、スロット毎にP_bal分だけ、下り送信電力が減少されていく。【００２５】
このような場合、下りDPCCHの品質は目標SIRを満足できなくなり、下りDPCCHで送信している制御信号等の誤り率が増加する。下り回線の制御信号には上り回線DPCCHの送信電力を制御するTPC信号が含まれるため、下りDPCCHにおける制御信号の誤り率が増加すると、上り回線の送信電力制御が正しく行われなくなる。一般に、DPCCH以外の上り回線のチャネル（E-DPCCHやE-DPDCH等）は上りDPCCHの送信電力を基準とし、それに対する所定の電力オフセットを追加することで送信電力が制御される。従って、上りDPCCHの電力制御が正しく行われない場合、他の上り回線チャネルも劣化する可能性が高く問題である。【００２６】
そこで、本発明は上記課題に鑑みて発明されたものであって、その目的は、送信電力の電力制御において、送信電力が希望の送信電力と乖離しすぎることを防ぐ技術を提供することにある。
【課題を解決するための手段】
【００２７】
上記課題を解決する第１の発明は、少なくとも移動局と１以上の基地局からなる通信システムにおける基地局の送信電力制御方法であって、信号を送信しないスロットが存在する通信と、信号を送信しないスロットが存在しない通信とで、送信電力を所定の基準電力に近づける割合を変えることを特徴とする。【００２８】
上記課題を解決する第２の発明は、上記第１の発明において、前記送信電力制御方法は、前記移動局と回線を設定している基地局の送信電力を所定の基準電力に基づいて更新するパワーランシングからなる送信電力制御方法であり、前記所定の基準電力は、基地局制御装置が決定する基準電力オフセット値と、基地局が送信する共通パイロット信号の電力値とからなることを特徴とする。【００２９】
上記課題を解決する第３の発明は、上記第１又は第２の発明において、信号の送信を停止するスロットが存在する通信における前記所定の基準電力に近づける割合を、信号の送信を停止するスロットが存在しない通信における前記基準電力に近づける割合よりも低くすることを特徴とする。【００３０】
上記課題を解決する第４の発明は、上記第１から第３のいずれかの発明において、前記信号の送信を停止するスロットが存在する通信が、移動局が制御信号を間欠的に送信している場合であり、前記信号の送信を停止するスロットが存在しない通信が、移動局が制御信号を連続的に送信している場合であることを特徴とする。【００３１】
上記課題を解決する第５の発明は、下り回線の電力制御を行っている通信方法における送信電力制御方法であって、P(k-1) は(k-1)スロット時の送信電力、P_TPC(k) は閉ループ型電力制御に基づくkスロット時の電力調整値、R_gatingは変数、P_bal(k) は調整期間内のスロットkにおけるパワーバランスの調整量としたとき、下り回線の送信電力の調整期間におけるkスロット時の送信電力P(k)を、
式  P(k) = P(k - 1) + P_TPC(k) + R_gating * P_bal(k)
に基づいて制御することを特徴とする。【００３２】
上記課題を解決する第６の発明は、上記第５の発明において、移動局が制御信号を間欠的に送信する間欠送信モードにあると判断される場合、前記R_gatingは１未満の値であることを特徴とする。【００３３】
上記課題を解決する第７の発明は、ある調整期間において、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは変数、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = (1-r) * (P_ref + P_P-CPICH - P_init)
に基づいて制御する送信電力制御方法において、
移動局が制御信号を間欠的に送信する間欠送信モードにあると判断される場合、前記rと異なる変数であるr_gatingを用いて、送信電力の調整期間におけるkスロット時の送信電力P(k)を、
P(k) = P(k-1) + P_TPC(k) + P_bal(k)
Sum P_bal(k) = (1-r_gating)* (P_ref + P_P-CPICH - P_init)
に基づいて制御することを特徴とする。【００３４】
上記課題を解決する第８の発明は、下り回線の電力制御を行っている通信方法における送信電力制御方法であって、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは定数、P_ref は基準電力、P_P-CPICHは共通パイロット信号の電力、P_initは調整期間開始時の送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御することを特徴とする。【００３５】
上記課題を解決する第４の発明は、下り回線の電力制御を行っている通信方法における送信電力制御方法であって、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは調整期間内で移動局から制御信号が送信されるスロット数の割合に基づいて決定される値、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御することを特徴とする。【００３６】
上記課題を解決する第１０の発明は、上記第８又は第９の発明において、移動局が制御信号を間欠的に送信する間欠送信モードにあると判断される場合、前記f_gatingは１未満の値であることを特徴とする。【００３７】
上記課題を解決する第１１の発明は、上記第５から第１０のいずれかの発明において、調整期間の途中で、移動局が間欠送信モードと判断された場合、前記調整期間中は現在のパワーバランシングの電力制御を行い、前記調整期間の次の調整期間から前記間欠送信モードのパワーバランシングの電力制御を行うことを特徴とする。【００３８】
上記課題を解決する第１２の発明は、上記第５から第１０のいずれかの発明において、調整期間の途中で、移動局が間欠送信モードと判断された場合、前記調整期間中は下り回線の電力制御を行ず、前記調整期間の次の調整期間から前記間欠送信モードの電力制御を行うことを特徴とする。【００３９】
上記課題を解決する第１３の発明は、上記第５から第１０のいずれかの発明において、調整期間の途中で、移動局が間欠送信モードと判断された場合、前記調整期間中は、前記バランス調整期間の残存時間の割合に応じてパワーバランスの調整量を変更することを特徴とする。【００４０】
上記課題を解決する第１４の発明は、電力制御を行っている通信方法における送信電力制御方法であって、電力制御に関する信号の受信状態に基づいて、送信電力の制御を実行又は停止することを特徴とする。【００４１】
上記課題を解決する第１５の発明は、電力制御を行っている通信方法における送信電力制御方法であって、電力制御に関する信号の受信状態に基づいて、異なる二つの送信電力制御方法のいずれかを用いることを特徴とする。【００４２】
上記課題を解決する第１６の発明は、複数の基地局の送信電力のバランス調整を行うようなシステムにおける送信電力制御方法において、基地局に対する制御信号が送信されないスロットが存在する場合の第１のバランス調整方法と、制御信号が送信されないスロットが存在しない場合の第２のバランス調整方法との２つの調整方法が含まれることを特徴とする。【００４３】
上記課題を解決する第１７の発明は、少なくとも移動局と１以上の基地局からなる通信システムであって、信号を送信しないスロットが存在する通信と、信号を送信しないスロットが存在しない通信とで、送信電力を所定の基準電力に近づける割合を変える送信電力制御手段を有することを特徴とする。【００４４】
上記課題を解決する第１８の発明は、上記第１７の発明において、前記送信電力制御手段は、前記移動局と回線を設定している基地局の送信電力を所定の基準電力に基づいて更新するパワーランシングを行い、前記所定の基準電力は、基地局制御装置が決定する基準電力オフセット値と、基地局が送信する共通パイロット信号の電力値とからなることを特徴とする。【００４５】
上記課題を解決する第１９の発明は、上記第１７又は第１８の発明において、前記送信電力制御手段は、信号の送信を停止するスロットが存在する通信における前記所定の基準電力に近づける割合を、信号の送信を停止するスロットが存在しない通信における前記基準電力に近づける割合よりも低くすることを特徴とする。【００４６】
上記課題を解決する第２０の発明は、上記第１７から第１９のいずれかの発明において、前記信号の送信を停止するスロットが存在する通信が、移動局が制御信号を間欠的に送信している場合であり、前記信号の送信を停止するスロットが存在しない通信が、移動局が制御信号を連続的に送信している場合であることを特徴とする。【００４７】
上記課題を解決する第２１の発明は、下り回線の電力制御を行っている通信システムであって、P(k-1) は(k-1)スロット時の送信電力、P_TPC(k) は閉ループ型電力制御に基づくkスロット時の電力調整値、R_gatingは変数、P_bal(k) は調整期間内のスロットkにおけるパワーバランスの調整量としたとき、下り回線の送信電力の調整期間におけるkスロット時の送信電力P(k)を、
式  P(k) = P(k - 1) + P_TPC(k) + R_gating * P_bal(k)
に基づいて制御する送信電力制御手段を有することを特徴とする。【００４８】
上記課題を解決する第２２の発明は、上記第２１の発明において、移動局が制御信号を間欠的に送信する間欠送信モードにあると判断される場合、前記R_gatingは１未満の値であることを特徴とする。【００４９】
上記課題を解決する第２３の発明は、ある調整期間において、移動局が制御信号を連続的に送信する通常モードと判断される場合、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは変数、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = (1-r)*(P_ref + P_P-CPICH - P_init)
に基づいて制御する通信システムにおいて、
移動局が制御信号を間欠的に送信する間欠送信モードにあると判断される場合、前記rと異なる変数であるr_gatingを用いて、送信電力の調整期間におけるkスロット時の送信電力P(k)を、
P(k) = P(k-1) + P_TPC(k) + P_bal(k)
Sum P_bal(k) = (1-r_gating)* (P_ref + P_P-CPICH - P_init)
に基づいて制御する送信電力制御手段を有することを特徴とする。【００５０】
上記課題を解決する第２４の発明は、下り回線の電力制御を行っている通信システムであって、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは定数、P_ref は基準電力、P_P-CPICHは共通パイロット信号の電力、P_initは調整期間開始時の送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する送信電力制御手段を有することを特徴とする。【００５１】
上記課題を解決する第２５の発明は、下り回線の電力制御を行っている通信システムであって、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは調整期間内で移動局から制御信号が送信されるスロット数の割合に基づいて決定される値、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する送信電力制御手段を有することを特徴とする。【００５２】
上記課題を解決する第２６の発明は、上記第２４又は第２５の発明において、移動局が制御信号を間欠的に送信する間欠送信モードにあると判断される場合、前記f_gatingは１未満の値であることを特徴とする。【００５３】
上記課題を解決する第２７の発明は、上記第２１から第２６のいずれかの発明において、前記送信電力制御手段は、調整期間の途中で、移動局が間欠送信モードと判断された場合、前記調整期間中は現在のパワーバランシングの電力制御を行い、前記調整期間の次の調整期間から前記間欠送信モードのパワーバランシングの電力制御を行うことを特徴とする。【００５４】
上記課題を解決する第２８の発明は、上記第２１から第２６のいずれかの発明において、前記送信電力制御手段は、調整期間の途中で、移動局が間欠送信モードと判断された場合、前記調整期間中は下り回線の電力制御を行ず、前記調整期間の次の調整期間から前記間欠送信モードの電力制御を行うことを特徴とする。【００５５】
上記課題を解決する第２９の発明は、上記第２１から第２６のいずれかの発明において、前記送信電力制御手段は、調整期間の途中で、移動局が間欠送信モードと判断された場合、前記調整期間中は、前記バランス調整期間の残存時間の割合に応じてパワーバランスの調整量を変更することを特徴とする。【００５６】
上記課題を解決する第３０の発明は、パワーバランシングの電力制御を行っている通信システムであって、電力制御に関する信号の受信状態に基づいて、送信電力制御の実行又は停止する手段を有することを特徴とする。【００５７】
上記課題を解決する第３１の発明は、パワーバランシングの電力制御を行っている通信システムであって、電力制御に関する信号の受信状態に基づいて、異なる送信電力制御のいずれかを用いて送信電力制御を行う手段を有することを特徴とする。【００５８】
上記課題を解決する第３２の発明は、複数の基地局の送信電力のバランス調整を行う通信システムであって、基地局に対する制御信号が送信されないスロットが存在する場合の第１のバランス調整方法と、制御信号が送信されないスロットが存在しない場合の第２のバランス調整方法との２つの調整方法のいずれかを用いて、送信電力のバランス調整を行う手段を有することを特徴とする。【００５９】
上記課題を解決する第３３の発明は、少なくとも移動局と１以上の基地局からなる通信システムにおける基地局であって、信号を送信しないスロットが存在する通信と、信号を送信しないスロットが存在しない通信とで、送信電力を所定の基準電力に近づける割合を変える送信電力制御手段を有することを特徴とする。【００６０】
上記課題を解決する第３４の発明は、上記第３３の発明において、前記送信電力制御手段は、前記移動局と回線を設定している基地局の送信電力を所定の基準電力に基づいて更新するパワーランシングを行い、前記所定の基準電力は、基地局制御装置が決定する基準電力オフセット値と、基地局が送信する共通パイロット信号の電力値とからなることを特徴とする。【００６１】
上記課題を解決する第３５の発明は、上記第３３又は第３４の発明において、前記送信電力制御手段は、信号の送信を停止するスロットが存在する通信における前記所定の基準電力に近づける割合を、信号の送信を停止するスロットが存在しない通信における前記基準電力に近づける割合よりも低くすることを特徴とする。【００６２】
上記課題を解決する第３６の発明は、上記第３３から第３５のいずれかの発明において、前記信号の送信を停止するスロットが存在する通信が、移動局が制御信号を間欠的に送信している場合であり、前記信号の送信を停止するスロットが存在しない通信が、移動局が制御信号を連続的に送信している場合であることを特徴とする。【００６３】
上記課題を解決する第３７の発明は、下り回線の電力制御を行っている通信システムにおける基地局であって、P(k-1) は(k-1)スロット時の送信電力、P_TPC(k) は閉ループ型電力制御に基づくkスロット時の電力調整値、R_gatingは変数、P_bal(k) は調整期間内のスロットkにおけるパワーバランスの調整量としたとき、下り回線の送信電力の調整期間におけるkスロット時の送信電力P(k)を、
式  P(k) = P(k - 1) + P_TPC(k) + R_gating * P_bal(k)
に基づいて制御する送信電力制御手段を有することを特徴とする。【００６４】
上記課題を解決する第３８の発明は、上記第３７の発明において、移動局が制御信号を間欠的に送信する間欠送信モードにあると判断される場合、前記R_gatingは１未満の値であることを特徴とする。【００６５】
上記課題を解決する第３９の発明は、ある調整期間において、移動局が制御信号を連続的に送信する通常モードと判断される場合、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは変数、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = (1-r)*(P_ref + P_P-CPICH - P_init)
に基づいて制御する基地局において、
移動局が制御信号を間欠的に送信する間欠送信モードにあると判断される場合、前記rと異なる変数であるr_gatingを用いて、送信電力の調整期間におけるkスロット時の送信電力P(k)を、
P(k) = P(k-1) + P_TPC(k) + P_bal(k)
Sum P_bal(k) = (1-r_gating)* (P_ref + P_P-CPICH - P_init)
に基づいて制御する送信電力制御手段を有することを特徴とする。【００６６】
上記課題を解決する第４０の発明は、下り回線の電力制御を行っている通信システムにおける基地局であって、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは定数、P_ref は基準電力、P_P-CPICHは共通パイロット信号の電力、P_initは調整期間開始時の送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する送信電力制御手段を有することを特徴とする。【００６７】
上記課題を解決する第４１の発明は、下り回線の電力制御を行っている通信システムにおける基地局であって、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは調整期間内で移動局から制御信号が送信されるスロット数の割合に基づいて決定される値、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する送信電力制御手段を有することを特徴とする。【００６８】
上記課題を解決する第４２の発明は、上記第４０又は第４１の発明において、移動局が制御信号を間欠的に送信する間欠送信モードにあると判断される場合、前記f_gatingは１未満の値であることを特徴とする。【００６９】
上記課題を解決する第４３の発明は、上記第３７から第４２のいずれかの発明において、前記送信電力制御手段は、調整期間の途中で、移動局が間欠送信モードと判断された場合、前記調整期間中は現在のパワーバランシングの電力制御を行い、前記調整期間の次の調整期間から前記間欠送信モードのパワーバランシングの電力制御を行うことを特徴とする。【００７０】
上記課題を解決する第４４の発明は、上記第３７から第４３のいずれかの発明において、前記送信電力制御手段は、調整期間の途中で、移動局が間欠送信モードと判断された場合、前記調整期間中は下り回線の電力制御を行ず、前記調整期間の次の調整期間から前記間欠送信モードの電力制御を行うことを特徴とする。【００７１】
上記課題を解決する第４５の発明は、上記第３７から第４３のいずれかの発明において、前記送信電力制御手段は、調整期間の途中で、移動局が間欠送信モードと判断された場合、前記調整期間中は、前記バランス調整期間の残存時間の割合に応じてパワーバランスの調整量を変更することを特徴とする。【００７２】
上記課題を解決する第４６の発明は、パワーバランシングの電力制御を行っている基地局であって、電力制御に関する信号の受信状態に基づいて、送信電力制御の実行又は停止する手段を有することを特徴とする。【００７３】
上記課題を解決する第４７の発明は、パワーバランシングの電力制御を行っている通信システムにおける基地局であって、電力制御に関する信号の受信状態に基づいて、異なる送信電力制御のいずれかを用いて送信電力制御を行う手段を有することを特徴とする。【００７４】
上記課題を解決する第４８の発明は、複数の基地局の送信電力のバランス調整を行う通信システムにおける基地局であって、基地局に対する制御信号が送信されないスロットが存在する場合の第１のバランス調整方法と、制御信号が送信されないスロットが存在しない場合の第２のバランス調整方法との２つの調整方法のいずれかを用いて、送信電力のバランス調整を行う手段を有することを特徴とする。【００７５】
上記課題を解決する第４９の発明は、少なくとも移動局と１以上の基地局からなる通信システムにおける基地局制御局であって、信号を送信しないスロットが存在する通信における送信電力制御のパラメータと、信号を送信しないスロットが存在しない通信における送信電力制御のパラメータとを、基地局に送信する手段を有することを特徴とする。【００７６】
上記課題を解決する第５０の発明は、少なくとも移動局と１以上の基地局からなる通信システムにおける基地局制御局であって、信号を送信しないスロットが存在する通信における送信電力制御のパラメータと、信号を送信しないスロットが存在しない通信における送信電力制御のパラメータとのいずれかを、基地局に送信する手段を有することを特徴とする。【００７７】
上記課題を解決する第５１の発明は、少なくとも移動局と１以上の基地局からなる通信システムにおける基地局のプログラムであって、前記プログラムは、信号を送信しないスロットが存在する通信と、信号を送信しないスロットが存在しない通信とで、送信電力を所定の基準電力に近づける割合を変える処理を前記基地局に実行させることを特徴とする。【００７８】
上記課題を解決する第５２の発明は、下り回線の電力制御を行っている通信システムにおける基地局のプログラムであって、前記プログラムは、P(k-1) は(k-1)スロット時の送信電力、P_TPC(k) は閉ループ型電力制御に基づくkスロット時の電力調整値、R_gatingは変数、P_bal(k) は調整期間内のスロットkにおけるパワーバランスの調整量としたとき、下り回線の送信電力の調整期間におけるkスロット時の送信電力P(k)を、
式  P(k) = P(k - 1) + P_TPC(k) + R_gating * P_bal(k)
に基づいて制御する処理を前記基地局に実行させることを特徴とする。【００７９】
上記課題を解決する第５３の発明は、基地局のプログラムであって、ある調整期間において、移動局が制御信号を連続的に送信する通常モードと判断される場合、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは変数、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = (1-r)*(P_ref + P_P-CPICH - P_init)
に基づいて制御する基地局において、
移動局が制御信号を間欠的に送信する間欠送信モードにあると判断される場合、前記rと異なる変数であるr_gatingを用いて、送信電力の調整期間におけるkスロット時の送信電力P(k)を、
P(k) = P(k-1) + P_TPC(k) + P_bal(k)
Sum P_bal(k) = (1-r_gating)* (P_ref + P_P-CPICH - P_init)
に基づいて制御する処理を前記基地局に実行させることを特徴とする。【００８０】
上記課題を解決する第５４の発明は、下り回線の電力制御を行っている通信システムにおける基地局のプログラムであって、前記プログラムは、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは定数、P_ref は基準電力、P_P-CPICHは共通パイロット信号の電力、P_initは調整期間開始時の送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する処理を前記基地局に実行させることを特徴とする。【００８１】
上記課題を解決する第５５の発明は、下り回線の電力制御を行っている通信システムにおける基地局のプログラムであって、前記プログラムは、P(k-1) は(k-1)スロット時の送信電力、P_TPC(k) は閉ループ型電力制御に基づくkスロット時の電力調整値、P_bal(k) は調整期間内のスロットkにおけるパワーバランスの調整量、rは調整割合、f_gatingは調整期間内で移動局から制御信号が送信されるスロット数の割合に基づいて決定される値、P_ref は基準電力、P_P-CPICHは共通パイロット信号の電力、P_initは前回のパワーバランスの調整期間の最終スロットにおける送信電力としたとき、下り回線の送信電力の調整期間におけるkスロット時の送信電力P(k)を、
P(k) = P(k-1) + P_TPC(k) + P_bal(k)
Sum P_bal(k) = f_gating*(1-r)* (P_ref + P_P-CPICH - P_init)
に基づいて制御する処理を前記基地局に実行させることを特徴とする。【００８２】
上記課題を解決する第５６の発明は、パワーバランシングの電力制御を行っている基地局のプログラムであって、前記プログラムは、電力制御に関する信号の受信状態に基づいて、送信電力制御の実行又は停止する処理を前記基地局に実行させることを特徴とする。【００８３】
上記課題を解決する第５７の発明は、パワーバランシングの電力制御を行っている通信システムにおける基地局のプログラムであって、前記プログラムは、電力制御に関する信号の受信状態に基づいて、異なる送信電力制御のいずれかを用いて送信電力制御を行う処理を前記基地局に実行させることを特徴とする。【００８４】
上記課題を解決する第５８の発明は、複数の基地局の送信電力のバランス調整を行う通信システムにおける基地局のプログラムであって、前記プログラムは、基地局に対する制御信号が送信されないスロットが存在する場合の第１のバランス調整方法と、制御信号が送信されないスロットが存在しない場合の第２のバランス調整方法との２つの調整方法のいずれかを用いて、送信電力のバランス調整を行う処理を前記基地局に実行させることを特徴とする。
【発明の効果】
【００８５】
本発明によれば、送信電力の電力制御において、下り送信電力が希望の送信電力と乖離しすぎることを防ぐことができる。
【図面の簡単な説明】
【００８６】
【図１】図１はＷ−ＣＤＭＡシステムの一例を示す概略的なネットワーク構成図である。
【図２】図２はソフトハンドーバの実行中に、基地局が移動局からのTPC信号を受けて下り回線のDPCCHの送信電力を決定するフローチャートである。
【図３】図３はDPCCH Gatingを説明する為の図である。
【図４】図４は従来技術を説明する為の図である。
【図５】図５は実施例１の通信システムを説明する為の図である。
【図６】図６は基地局制御局１の構成を示す図である。
【図７】図７は第１および第２の基地局２、３の基地局装置の構成を示す図である。
【図８】図８は移動局４の構成を示す図である。
【図９】図９は実施例１の動作フローチャートである。
【図１０】図１０は実施例２の動作フローチャートである。
【図１１】図１１は実施例３の動作フローチャートである。
【図１２】図１２は実施例４の動作フローチャートである。
【図１３】図１３は実施例５の基地局制御装置の構成を示す図である。
【図１４】図１４は実施例６の基地局の構成を示す図である。
【符号の説明】
【００８７】
１          基地局制御局
２、３      基地局
４          移動局
１０１      記憶部
１０２      制御部
２０１      アンテナ
２０２      送受信共用器
２０３      受信回路
２０４      ＳＩＲ測定部
２０５      送信電力制御部
２０６      送信回路
２０７      状態管理部
２０８      タイマー
４０１      アンテナ
４０２      送受信共用器
４０３      受信回路
４０４      ＳＩＲ測定部
４０５      送信電力制御部
４０６      送信回路
４０７      パイロット信号電力測定部
４０８      状態管理部
５０１      記憶部
５０２      適用判定部
５０３      制御部
６０１      ＳＩＲ測定部
６０２      送信電力制御部
【発明を実施するための最良の形態】
【００８８】
本発明の実施の形態を説明する。【００８９】
本発明の特徴は、下り回線において、パワーバランシングの電力制御を行っており、通常モードのような全てのスロットで信号が送信されているような通信と、間欠送信モードのような信号を送信しないスロットが存在するような通信とで、送信電力をパワーバランシングの基準電力に近づける割合を変えることを特徴とする。【００９０】
下り回線の送信電力をパワーバランシングの基準電力に近づける割合を変える方法であるが、以下の方法がある。
１．  間欠送信モード時に通常モードと異なるパワーバランシングのパラメータを適用する。【００９１】
間欠送信モード時に通常モードとで異なるパワーバランシングのパラメータを適用し、パワーバランシングの調整量を変更可能とする。特に、パワーバランシングの調整量を低くなるようにパラメータを設定することにより、送信電力がパワーバランシングの基準電力に収束してしまうことを防ぐことができる。具体的には、以下の方法がある。
（１）  パワーバランシングの調整量の反映割合を低くする。【００９２】
通常モードの下り回線の電力制御は、式１で示される。【００９３】
P(k) = P(k-1) + P_TPC(k) + P_bal(k)      式１
ここで、P(k)はkスロット時の送信電力、P(k-1)は(k-1)スロット時の送信電力、P_TPC(k)は閉ループ型電力制御に基づくkスロット時の調整量、P_bal(k)は調整期間内のスロットkにおけるパワーバランスの調整量であり、P_bal(k)は、式２で規定される。【００９４】
Sum P_bal = (1-r)*(P_ref + P_CPICH - P_init)      式２
ここで、P_refは基地局制御装置が決定する基準電力オフセット値であり、P_CPICHは基地局が送信する共通パイロット信号の電力値であり、P_initは前回のパワーバランスの調整期間の最終スロットにおける下りDPCCHの送信電力である。【００９５】
一方、間欠送信モード時には、P_bal(k)に対して、間欠送信モード時の調整量を変更させるパラメータR_gatingを乗算することにより、パワーバランシングの調整量を制御する。具体的には、kスロット時の送信電力P(k)は下記式３となる。【００９６】
P(k) = P(k - 1) + P_TPC(k) + R_gating * P_bal(k)      式３
ここで、R_gatingは基地局制御装置が決定して基地局に通知するパラメータであり、１以下の値であり、１未満の値を取ることにより、パワーバランシングの調整量を通常モード時に比べて低くすることがき、R_gating＝０ではパワーバランシングが停止となる。【００９７】
上記では、通常モードでは式１を用いて送信電力を制御し、間欠送信モードでは式３を用いて送信電力を制御する、つまり異なる送信電力制御を使い分けるとして示したが、式３を用いた送信電力制御がされており、通常モードのときにはR_gating =1、間欠送信モードのときにはR_gatingを１未満とする、としてもよい。【００９８】
また、ここでは基地局制御装置はR_gatingを決定し、基地局に通知するとしているが、本発明はそれだけには限られず、基地局が１より小さい値を無作為に、または間欠送信モード中に制御信号が送信されるスロット数の割合などに基づいて決定してもよい。
（２）通常モード時のパワーバランシングの調整割合とは異なるパワーバランシングの調整割合を用いて、パワーバランシングの調整量を低くする。【００９９】
通常モードの下り回線の電力制御は、式１で示される。【０１００】
P(k) = P(k-1) + P_TPC(k) + P_bal(k)      式１
ここで、P(k)はkスロット時の送信電力、P(k-1)は(k-1)スロット時の送信電力、P_TPC(k)は閉ループ型電力制御に基づくkスロット時の調整量、P_bal(k)は調整期間内のスロットkにおけるパワーバランスの調整量であり、P_bal(k)は、式２で規定される。【０１０１】
Sum P_bal = (1-r)*(P_ref + P_CPICH - P_init)      式２
ここで、P_refは基地局制御装置が決定する基準電力オフセット値であり、P_CPICHは基地局が送信する共通パイロット信号の電力値であり、P_initは前回のパワーバランスの調整期間の最終スロットにおける下りDPCCHの送信電力である。【０１０２】
一方、間欠送信モード時には、kスロット当たりの間欠送信モード時の調整量P_bal(k)を変更する。具体的には、通常モード時の調整割合rを、間欠送信モード時の調整割合のパラメータであるr_gatingに変更する。具体的には、下記式４で示される。【０１０３】
Sum P_bal(k) = (1-r_gating)* (P_ref + P_P-CPICH - P_init)  または、
Sum P_bal(k) = (1-r_gating)* (P_ref_gating + P_P-CPICH + P_init)      式４
ここで、r_gatingは、通信開始時に基地局制御装置が決定し基地局に通知するパラメータであり、r_gatingは１以下の値であり、通常モード時の調整割合rよりも大きい値を取ることにより、パワーバランシングの調整量を通常モード時に比べて低くすることができ、r_gating＝１ではパワーバランシングが停止となる。また、P_ref_gatingは間欠送信モード時の基準電力オフセット値である。【０１０４】
また、ここでは基地局制御装置がr_gatingを決定し、基地局に通知するとしているが、本発明はそれだけには限られず、基地局が1より小さく且つ通常モードのrよりも大きい値を無作為に、または間欠送信モード中に制御信号が送信されるスロット数の割合などに基づいて決定してもよい。
（３）パワーバランシングの調整量に定数を乗算し、パワーバランシングの調整量を低くする。【０１０５】
通常モードの下り回線の電力制御は、式１で示される。【０１０６】
P(k) = P(k-1) + P_TPC(k) + P_bal(k)      式１
ここで、P(k)はkスロット時の送信電力、P(k-1)は(k-1)スロット時の送信電力、P_TPC(k)は閉ループ型電力制御に基づく、kスロット時の調整量、P_bal(k)は調整期間内のスロットkにおけるパワーバランスの調整量であり、P_bal(k)は、式２で規定される。【０１０７】
Sum P_bal = (1-r)*(P_ref + P_CPICH - P_init)      式２
ここで、バランス調整期間における間欠送信モード時の調整量に定数f_gatingを乗算し、P_bal(k)を変更する。具体的には、下記式５で示される。【０１０８】
Sum P_bal(k) = f_gating*(1-r)* (P_ref + P_P-CPICH - P_init)      式５
ここで、f_gatingは定数であり、通信開始時に基地局制御装置が決定し基地局に通知するパラメータであり、f_gating<1とすることにより、パワーバランシングの調整量を通常モード時に比べて低くすることがきる。【０１０９】
上記では、通常モードでは式２を用いて求めたSum P_bal(k)に基づいて行う送信電力制御を用い、間欠送信モードでは式５を用いて求めたSum P_bal(k)に基づいて行う送信電力制御を用いる、つまり異なる送信電力制御を使い分ける例を示したが、式５を用いて求めたSum P_bal(k)に基づいて送信電力制御がされており、通常モードのときにはf_gating =1、間欠送信モードのときにはf_gatingを１未満とするようにしてもよい。
（４）基地局が間欠送信モード時に制御信号が送信されるスロット数の割合に基づいてパワーバランシングの調整量の低減率を計算し、調整量を低くする。【０１１０】
通常モードの下り回線の電力制御は、式１で示される。【０１１１】
P(k) = P(k-1) + P_TPC(k) + P_bal(k)      式１
ここで、P(k)はkスロット時の送信電力、P(k-1)は(k-1)スロット時の送信電力、P_TPC(k)は閉ループ型電力制御に基づく、kスロット時の調整量、P_bal(k)は調整期間内のスロットkにおけるパワーバランスの調整量であり、P_bal(k)は、式２で規定される。【０１１２】
Sum P_bal = (1-r)*(P_ref + P_CPICH - P_init)      式２
ここで、間欠送信モード時にDPCCHで制御信号が送信されるスロット数の割合に基づいた値f_gatingとし、このf_gatingを、バランス調整期間における間欠送信モード時の調整量に乗算し、P_bal(k)を変更する。具体的には、下記式６で示される。【０１１３】
Sum P_bal(k) = f_gating*(1-r)* (P_ref + P_P-CPICH - P_init)      式６
ここで、f_gatingは、間欠送信モード時において、DPCCH gating周期であるスロット数Ｎと、Nスロット中に制御信号を送信するスロット数ｘに基づく値であり、例えばf_gating＝ｘ／Ｎと決定してもよい。具体的な例を示すと、DPCCHにおいて１０スロット（＝N）中に２スロット（＝x）だけ制御信号を送信するようなパターンを適用された移動局に対しては、f_gating＝２／１０＝１／５と設定することができる。【０１１４】
上記では、通常モードでは式２を用いて求めたSum P_bal(k)に基づいて行う送信電力制御を用い、間欠送信モードでは式６を用いて求めたSum P_bal(k)に基づいて行う送信電力制御を用いる、つまり異なる送信電力制御を使い分ける例を示したが、式６を用いて求めたSum P_bal(k)に基づいて送信電力制御がされており、通常モードのときにはf_gating =1、間欠送信モードのときにはf_gatingを上述の方法で計算した値としてもよい。
２．  DPCCH gatingを適用するか否かに応じて、パワーバランシングのパラメータを決定する。【０１１５】
DPCCH gatingは、例えば、下り回線のデータ送信をHSDPA、上り回線のデータ送信をEUDCHを用いて行うサービス/移動局に対してのみ適用される。従って、例えば、上り/下り個別チャネルを用いてデータの送受信を行う通話などの回線交換を利用したサービスに対しては、DPCCH gatingは適用しない。従って、基地局制御装置はパワーバランシングも通常通りのパラメータを設定する。一方、一般的にウェブ閲覧やVoIPなどパケット交換を利用したサービスに対するデータの送受信はHSDPA並びにEUDCHを用いて行う。このような場合、基地局制御装置はこの移動局に対してDPCCH gatingを適用することを決定し、且つパワーバランシングによる調整割合が上述の個別チャネルでデータ送受信を行っている移動局に比して小さくなる、または、ゆっくりになるようにパワーバランシングのパラメータを決定する。
３．  下りの電力制御において、TPCコマンドを反映させるときのみパワーバランシングを行う。【０１１６】
例えば、上述した図３において、DPCCHによりTPCやパイロット信号等の制御信号が送信されるxスロットのみで、パワーバランシングの制御を行う。パワーバランシングの制御が行われるスロットでは、通常モードの下り回線の電力制御が行われ、具体的には、式１で示される。【０１１７】
P(k) = P(k-1) + P_TPC(k) + P_bal(k)      式１
ここで、P(k)はkスロット時の送信電力、P(k-1)は(k-1)スロット時の送信電力、P_TPC(k)は閉ループ型電力制御に基づくkスロット時の調整量、P_bal(k)は調整期間内のスロットkにおけるパワーバランスの調整量であり、P_bal(k)は、式２で規定される。【０１１８】
Sum P_bal = (1-r)*(P_ref + P_CPICH - P_init)      式２
以下、具体的な実施例について説明する。
【実施例１】
【０１１９】
実施例１を説明する。実施例１は、上述したDPCCH Gatingにおける間欠送信モード時に、パワーバランシングの調整量の反映割合を低くする例である。【０１２０】
実施例１で説明する送信電力制御方法は、図５に示す構成をとるセルラシステムにおいて実施される。図５のセルラシステムは、サービスエリアが第１および第２のセル５、６に分割されており、第１および第２のセルには、それぞれ、第１および第２の基地局２、３が配置されるとともに、移動局４が存在する。第１および第２の基地局２、３はそれぞれ基地局制御局１に接続されており、基地局制御局１はさらに他の基地局制御局１からなる通信網（図示せず）に接続されている。なお、図示しないが、このセルラシステムは、他に多数の基地局を備えており、各セル内には多数の移動局が存在する。【０１２１】
移動局４は基地局２、３との間でDPCCHによりTPC信号やパイロット信号等の制御信号を送受信している。【０１２２】
図６に、基地局制御局１の構成を示す。基地局制御局１は、記憶部１０１と、制御部１０２とから構成されている。【０１２３】
記憶部１０１には各パラメータが記憶されている。記憶されているパラメータとしては、基地局が送信する共通パイロット信号の電力値P_CPICH、閉ループ送信電力制御による調整量（幅）ΔTPC、上り回線の閉ループ送信電力制御のための目標値である目標SIRがある。更に、パワーバランシングの制御に必要なパラメータとして、基準電力オフセット値P_ref、パワーバランシングによる調整割合（Adjustment ratio）r、パワーバランシングの調整期間（Adjustment period）Tint等が記憶されている。また、上述したDPCCH Gatingにおいて行われる所定の周期内（Ｎスロット）のうち、制御信号が送信されるスロット数を示すｘまたは制御信号を送信するスロットの番号等など間欠送信に必要なパラメータについても記憶されている。【０１２４】
制御部１０２は、基地局開設時に電力値P_CPICHを記憶部１０１から読み出して基地局に通知し、また、他のパラメータについては、移動局との通信（あるサービス）開始時等に記憶部１０１から読み出して基地局に通知する。更に、制御部１０２は、移動局がパワーバランシング起動時にDPCCH Gatingにおける間欠送信モードと判断される場合に適用される調整量を変更させるパラメータR_gatingを計算して基地局に通知する。尚、本実施例１では、DPCCH Gatingにおいて行われる間欠送信モードにおける間欠送信周期をＮスロット、送信スロット数をｘスロットとした場合、ｘ／ＮをR_gatingとして計算する。【０１２５】
図７に第１および第２の基地局２、３の基地局装置の構成を示す。基地局装置は、アンテナ２０１、送受信共用器２０２、受信回路２０３、ＳＩＲ測定部２０４、送信電力制御部２０５、送信回路２０６、状態管理部２０７、タイマー２０８から構成されている。【０１２６】
ＳＩＲ測定部２０４は、上り回線の希望波電力と干渉波電力の比（ＳＩＲ）を測定するための測定器で、これにより、移動局が送信するスロットを受信する毎に、その上りＳＩＲを測定する。さらに、SIR測定部２０４は、測定した上りSIRを所定の目標SIRと比較し、測定した上りSIRが目標SIR以上であれば電力削減を指示するTPC信号（UL-TPC）を、測定した上りSIRが目標SIRよりも低ければ電力増加を指示するTPC信号（DL-TPC）を生成し、送信回路２０６へ送る。また、測定した上りＳＩＲは、上り回線で受信した制御信号の信頼度推定等のために送信電力制御部２０５へも送るとすることができる。【０１２７】
また、送信電力制御部２０５は、状態管理部２０７から通知される移動局４のモードの状態に応じて下り送信電力を制御する制御部であって、移動局４がDPCCH Gatingの通常モード時には、式１、式２に基づく送信電力制御を行う。【０１２８】
P(k) = P(k-1) + P_TPC(k) + P_bal(k)      式１
Sum P_bal = (1-r)*(P_ref + P_CPICH - P_init)      式２
一方、送信電力制御部２０５は、移動局４がDPCCH Gatingの間欠送信モード時には、基地局制御局１から通知されるR_gatingを用いて、式２、式３に基づく送信電力制御を行う。【０１２９】
Sum P_bal = (1-r)*(P_ref + P_CPICH - P_init)      式２
P(k) = P(k - 1) + P_TPC(k) + R_gating * P_bal(k)      式３
なお、上記では、通常モードでは式１を用いて送信電力を制御し、間欠送信モードでは式３を用いて送信電力を制御する、つまり異なる送信電力制御を使い分ける例を示したが、基地局では式３を用いた送信電力制御がされており、通常モードのときにはR_gating =1、間欠送信モードのときにはR_gatingを１未満としてもよい。【０１３０】
ここで、間欠送信モード時の送信電力の開始時期であるが、以下の方法が考えられる。
（１）送信電力制御部２０５は、状態管理部２０７から移動局４がDPCCH Gatingの間欠送信モード状態となったことを通知されると同時に、DPCCH Gatingの間欠送信モード時の送信電力制御を行う。
（２）送信電力制御部２０５は、状態管理部２０７から移動局４がDPCCH Gatingの間欠送信モード状態となったことを通知されたパワーバランシングの調整期間では、通常のパラメータを適用、すなわち、通常モード時の送信電力制御を行う。そして、次のパワーバランシングの調整期間から間欠送信モード時の送信電力制御を行う。
（３）送信電力制御部２０５は、状態管理部２０７から移動局４がDPCCH Gatingの間欠送信モード状態となったことを通知されたパワーバランシングの調整期間では、TPC信号による閉ループ型電力制御のみ行い、パワーバランシングの制御を停止する。そして、次のパワーバランシングの調整期間から間欠送信モード時の送信制御を行う。
（４）状態管理部２０７から移動局４がDPCCH Gatingの間欠送信モード状態となったことを通知されたパワーバランシングの調整期間では、通常モード時のパワーバランシングの調整量P_balに所定値を掛けた値を使用して通常モード時の送信電力制御を行う。所定値は、現調整期間の残時間の割合に応じて決定する。そして、次のパワーバランシングの調整期間から間欠送信モード時の送信制御を行う。【０１３１】
以上の４つの方法が考えられるが、いずれの方法を用いても良い。【０１３２】
状態管理部２０７は、移動局４がDPCCH Gatingの通常モードなのか間欠送信モードなの状態を管理する管理部であって、移動局４の状態を送信電力制御部２０５に通知する。状態管理部２０７が移動局４の状態を知る方法であるが、以下の方法が考えられる。
（１）移動局４が基地局に制御信号を送信して通知する。この通知を受信回路２０３経由で受け取った状態管理部２０７が移動局４の状態を管理する。ここで、制御信号の送信方法であるがE-DPCCHにおいて送信されているE-TFCI（E-Transport Format Combination Indicator）や、E-DPDCHで送信されているSI（Scheduling Information）等に状態変更の旨を示す信号を設けるような方法が考えられる。ここで、E-TFCIとはE-DPDCHにおいて送信されているトランスポートブロックのデータサイズ等のフォーマットを通知する信号であり、SIとは基地局においてスケジューリングを行うために必要な情報、例えば移動局のバッファ内に蓄積しているデータ量などを通知するための信号である。【０１３３】
また、制御信号の内容であるが、移動局４が通常モードから間欠送信モードへ遷移、移動局４が間欠送信モードから通常モードへ遷移する又はしたことを示す遷移情報や、移動局４の現在の状態を示す情報等が考えられる。
（２）基地局が自律的に（ブラインドで）判定する。例えば、ＳＩＲ測定部２０４が、DPCCHのTPCやパイロット信号等のSIRを測定し、このSIRが所定閾値SIR_thr以下であるスロットが、N_thrスロット以上継続した場合は移動局４が間欠送信モードであると判定する。そして、この判定結果を、状態管理部２０７に通知する。尚、SIR_thr, N_thrは基地局制御局１が設定してもよいし、基地局が設定してもよい。尚、N_thrは、DPCCH gatingのスロット送信停止間隔より小さい値に設定することが好ましい。【０１３４】
このように構成された基地局において、移動局４から送信されてきた上り回線の信号は、アンテナ２０１および送受信共用器２０２を介して受信回路２０３で受信される。受信回路２０３では上り回線の信号のスロットを受信する毎に、データ信号と制御信号を分離し、データ信号は図示しない受信処理部へ転送する。また、受信回路２０３は受信した制御信号に含まれるパイロット信号をスロット毎にSIR測定部２０４へと送る。そして、SIR測定部２０４はパイロット信号の受信電力を測定し、上り回線の送信電力を制御するTPC信号（UL-TPC）を生成し、送信回路２０６へ送ると共に、パイロット信号のＳＩＲ測定結果を送信電力制御部２０５へ送る。【０１３５】
また、受信回路部２０３は、受信した制御信号に含まれるTPC信号をスロット毎に送信電力制御部２０５へ送る。送信電力制御部２０５は、受信回路２０３から送られてきたTPC信号を使用してスロット毎に下り回線の信号用の下り送信電力を計算し、その下り送信電力を示す下り送信電力制御信号を送信回路２０６へ送る。ここで、送信電力制御部２０５は、予め定められた品質閾値とＳＩＲ測定部２０４から送られるパイロット信号のＳＩＲ測定結果とに基づいて、ＴＰＣ信号の信頼度を推定するようにしてもよい。そして、ＴＰＣ信号の信頼度が低い場合は、ＴＰＣ信号の内容は送信電力の計算には用いないようにしてもよい。送信電力は、これまでに説明したようにTPC信号による電力変更量とパワーバランシングによる調整量とに基づいて計算される。パワーバランシングの動作に関しては従来技術並びに以下で説明するので、ここで詳しくは記載しないが、タイマー２０８は、このパワーバランシングに用いる調整期間の経過を判定するために必要な時間計測を行う。下り送信電力制御信号に応答して、送信回路２０６は下り回線の信号用の下り送信電力を下り送信電力制御信号によって示される値に設定する。そして、基地局は、送受信共用器２０２およびアンテナ２０１を介して１台またはそれ以上の移動局へ、送信回路２０６によって生成された下り回線の信号を送信する。【０１３６】
図８に移動局４の構成を示す。移動局４は、アンテナ４０１、送受信共用器４０２、受信回路４０３、ＳＩＲ測定部４０４、送信電力制御部４０５、送信回路４０６、パイロット信号電力測定部４０７、及び状態管理部４０８から構成されている。【０１３７】
移動局４において、基地局から送信されてきた下り回線の信号は、アンテナ４０１および送受信共用器４０２を介して受信回路４０３で受信される。受信回路４０３は下り信号を受信すると制御信号とデータを分離し、データを図示しない受信処理部へ送り、復号などの必要な受信処理を行う。また、受信回路４０３が下り回線の信号のスロットを受信する毎に、ＳＩＲ測定部４０４は、下り回線の信号に含まれるパイロット信号、またはTPC信号のＳＩＲを測定して、下りＳＩＲを表す測定下りＳＩＲ値を得る。ＳＩＲ測定部４０４は、測定下りＳＩＲ値と目標下りＳＩＲ値とを比較し、測定下りＳＩＲ値が目標下りＳＩＲ値より小さいとき、ＳＩＲ測定部４０４は、下り送信電力の増加を指示するTPC信号（DL-TPC）を出力する。測定下りＳＩＲ値が目標下りＳＩＲ値以上であるとき、ＳＩＲ測定部４０４は、下り送信電力の減少を指示するTPC信号（DL-TPC）を出力する。DL-TPCは送信回路４０６に供給される。送信回路４０６は、送受信共用器４０２およびアンテナ４０１を介して基地局へ、状態管理部４０８から指示される状態が通常モードである場合は、スロット毎にDL-TPCを含む上り回線の信号を送信する。また、状態管理部４０８から指示される状態が間欠送信モードである場合は、所定のDPCCH送信パターン（DPCCH gating pattern）に基づいて、上り回線の信号を送信してよいスロットにおいてDL-TPCを含む上り回線の信号を送信する。【０１３８】
ここで、状態管理部４０８は移動局の状態が通常モードであるか、間欠送信モードであるかを判定し記録しているわけであるが、状態の判定方法は、例えば、以下のいずれか一方または両方を満たす場合とすることができる。
（１）受信回路４０３が受信した信号に自局宛てのデータが含まれるか否かを所定周期で状態管理部４０８へ通知し、状態管理部４０８において所定時間以上、下り回線において自局宛てのデータがないと判定した場合
（２）移動局のMAC層からULアクティビティ情報として、バッファ内に送信すべきデータが所定時間以上存在しないことを通知する信号を状態管理部４０３が受信した場合
なお、以上は本実施例における単なる一例であり、発明の本質には無関係である。従って、例えば、以上のように移動局が自律的に判断するのではなく、基地局が明示的にモード変更を通知するような制御信号を下り回線のチャネル、例えばHS-SCCHなどで送信するようにし、受信回路４０３はこの信号を受信すると、その旨を状態管理部４０８へ通知するようにしてもよい。【０１３９】
また、受信回路部４０３は、受信した制御信号に含まれる上りのTPC信号をスロット毎に送信電力制御部４０５へ送る。送信電力制御部４０５は、受信回路４０３から送られてきたTPC信号を使用してスロット毎に上り回線の信号用の上り送信電力を計算し、その上り送信電力を示す上り送信電力制御信号を送信回路４０６へ送る。上り送信電力制御信号に応答して、送信回路４０６は、上り回線の信号用の上り送信電力を上り送信電力制御信号によって示される値に設定する。そして、移動局は、送受信共用器４０２およびアンテナ４０１を介して、送信回路４０６によって生成された上り回線の信号を送信する。【０１４０】
次に、図９を用いて、実施例１における送信電力制御動作を説明する。尚、従来の送信電力と同じ処理については、図２と同じステップ番号を付して説明を省略する。【０１４１】
実施例１の動作が従来の技術と異なる所は、ステップ２００からステップ２０２の処理である。まず、ステップ２００において、送信電力制御部２０５は、状態管理部２０７の通知から移動局が通常モードであるのか、又は間欠送信モードであるのかを判断する。そして、通常モードである場合には、ステップ１１０に進み、従来と同様な処理を行う。【０１４２】
一方、間欠送信モードである場合には、基地局制御局１から通知されたR_gatingを用いて、式３による送信電力制御を行う（ステップ２０２）
P(k) = P(k - 1) + P_TPC(k) + R_gating * P_bal(k)      式３
尚、間欠送信モード時の送信電力制御の開始時期については、上述した４つのいずれかの方法を用いる。【０１４３】
本実施例は、DPCCH gatingによりTPC信号が送信されずチャネル品質に基づいた高速な電力制御を行えない場合は、パワーバランシングのための電力調整も停止または緩やかに行うことを可能にする。従って、下りDPCCHの送信電力がパワーバランシングの基準電力値に引き寄せられ、目標品質を満足するために必要な電力よりも低過ぎる、または高過ぎる電力値となってしまうことを回避できる。すなわち、チャネル品質に基づいて制御された電力値を維持でき、移動局で所要SIRを満たすような電力制御が可能となる。その結果、無駄な干渉や移動局での個別チャネル品質劣化を低減でき、システムスループット並びにユーザスループットが改善できる。【０１４４】
また、本実施例では、移動局が通常モード時は通常のパワーバランシングのパラメータを適用するため、パワーバランシングの効果を高めることができる。
【実施例２】
【０１４５】
実施例２を説明する。実施例２は、上述した通常モード時のパワーバランシングの調整割合とは異なるパワーバランシングの調整割合を用いて、パワーバランシングの調整量を低くする例である。尚、上述した実施例１と同様な部分については説明を省略し、異なる部分について説明する。【０１４６】
記憶部１０１には各パラメータが記憶されている。記憶されているパラメータとしては、基地局が送信する共通パイロット信号の電力値P_CPICH、閉ループ送信電力制御による調整量（幅）ΔTPC、上り回線の閉ループ送信電力制御のための目標値である目標SIRがある。更に、パワーバランシングの制御に必要なパラメータとして、基準電力オフセット値P_ref、パワーバランシングによる調整割合（Adjustment ratio）r、パワーバランシングの調整期間（Adjustment period）Tint、間欠送信モード時の基準電力オフセット値であるP_ref_gating等が記憶されている。また、上述したDPCCH Gatingにおいて行われる所定の周期内（Ｎスロット）のうち、制御信号が送信されるｘスロットについても記憶されている。【０１４７】
制御部１０２は、基地局開設時に電力値P_CPICHを記憶部１０１から読み出して基地局に通知し、また、他のパラメータについては、移動局との通信（あるサービス）開始時に記憶部１０１から読み出して基地局に通知する。更に、制御部１０２は、移動局がパワーバランシング起動時にDPCCH Gatingにおける間欠送信モードと判断される場合に適用される間欠送信モード時の調整割合のパラメータであるr_gatingを計算して基地局に通知する。尚、本実施例２では、r_gatingは、DPCCH Gatingにおいて行われる間欠送信モードにおける間欠送信周期をＮスロット、送信スロット数をｘスロットとした場合、r_gating = 1‐(x/N)*(1‐r)として計算するものとするが、本発明におけるr_gatingの決定方法はこれだけに限られない。例えば、r_gatingが間欠送信周期間に送信されるスロット数の割合になんらかの負の相関をもつように決定してもよいし、通常モードのrよりも大きく且つ1より小さい値を無作為に選択してもよい。【０１４８】
基地局の送信電力制御部２０５は、状態管理部２０７から通知される移動局４のモードの状態に応じて下り送信電力を制御する制御部であって、移動局４がDPCCH Gatingの通常モード時には、式１、式２に基づく送信電力制御を行う。【０１４９】
P(k) = P(k-1) + P_TPC(k) + P_bal(k)      式１
Sum P_bal = (1-r)*(P_ref + P_CPICH - P_init)      式２
一方、送信電力制御部２０５は、移動局４がDPCCH Gatingの間欠送信モード時には、基地局制御局１から通知されるP_ref_gating及びr_gatingを用いて、式４に基づいて、Sum P_bal(k)を計算し、このSum P_bal(k)に基づいて、式１に基づく送信電力制御を行う。【０１５０】
Sum P_bal(k) = (1-r_gating)* (P_ref_gating + P_P-CPICH + P_init)      式４
尚、式4においてPref_gatingは通常モードのPrefと同じ値に設定してもよい。【０１５１】
次に、図１０を用いて、実施例２における動作を説明する。尚、従来の送信電力と同じ処理については、図２と同じステップ番号を付して説明を省略する。【０１５２】
実施例１の動作が従来の技術と異なる所は、ステップ３００からステップ３０２の処理である。まず、ステップ３００において、送信電力制御部２０５は、状態管理部２０７の通知から移動局が通常モードであるのか、又は間欠送信モードであるのかを判断する。そして、通常モードである場合には、ステップ１１０に進み、従来と同様な処理を行う。【０１５３】
一方、間欠送信モードである場合には、基地局制御局１から通知されたP_ref_gating及びr_gatingを用いて（ステップ３０１）、式４に基づいて、Sum P_bal(k)を計算する（ステップ３０２）。そして、ステップ１１７に進み、従来と同様な処理を行う。【０１５４】
尚、間欠送信モード時の送信電力制御の開始時期については、上述した４つのいずれかの方法を用いる。【０１５５】
本実施例は、DPCCH gatingによりTPC信号が送信されずチャネル品質に基づいた高速な電力制御を行えない場合は、パワーバランシングのための電力調整も停止または緩やかに行うことを可能にする。従って、下りDPCCHの送信電力がパワーバランシングの基準電力値に引き寄せられ、目標品質を満足するために必要な電力よりも低過ぎる、または高過ぎる電力値となってしまうことを回避できる。すなわち、チャネル品質に基づいて制御された電力値を維持でき、移動局で所要SIRを満たすような電力制御が可能となる。その結果、無駄な干渉や移動局での個別チャネル品質劣化を低減でき、システムスループット並びにユーザスループットが改善できる。【０１５６】
また、本実施例では、移動局が通常モード時は通常のパワーバランシングのパラメータを適用するため、パワーバランシングの効果を高めることができる。
【実施例３】
【０１５７】
実施例３を説明する。実施例３は、上述したパワーバランシングの調整量に定数を乗算し、パワーバランシングの調整量を低くする例である。尚、上述した実施例１と同様な部分については説明を省略し、異なる部分について説明する。【０１５８】
記憶部１０１には各パラメータが記憶されている。記憶されているパラメータとしては、基地局が送信する共通パイロット信号の電力値P_CPICH、閉ループ送信電力制御による調整量（幅）ΔTPC、上り回線の閉ループ送信電力制御のための目標値である目標SIRがある。更に、パワーバランシングの制御に必要なパラメータとして、基準電力オフセット値P_ref、パワーバランシングによる調整割合（Adjustment ratio）r、パワーバランシングの調整期間（Adjustment period）Tintが記憶されている。また、上述したDPCCH Gatingにおいて行われる所定の周期内（Ｎスロット）のうち、制御信号が送信されるｘスロットについても記憶されている。更に、間欠送信モードと判断される場合に適用されるf_gatingを記憶している。尚、f_gatingはここでは、ｘ／Ｎとする。【０１５９】
基地局の送信電力制御部２０５は、状態管理部２０７から通知される移動局４のモードの状態に応じて下り送信電力を制御する制御部であって、移動局４がDPCCH Gatingの通常モード時には、式１、式２に基づく送信電力制御を行う。【０１６０】
P(k) = P(k-1) + P_TPC(k) + P_bal(k)      式１
Sum P_bal = (1-r)*(P_ref + P_CPICH - P_init)      式２
一方、送信電力制御部２０５は、移動局４がDPCCH Gatingの間欠送信モード時には、基地局制御局１から通知されるf_gatingを用いて、式５に基づいて、Sum P_bal(k)を計算し、このSum P_bal(k)に基づいて、式１に基づく送信電力制御を行う。【０１６１】
Sum P_bal(k) = f_gating*(1-r)* (P_ref + P_P-CPICH - P_init)      式５
なお、上記では、通常モードでは式２を用いて求めたSum P_bal(k)に基づいて行う送信電力制御を用い、間欠送信モードでは式５を用いて求めたSum P_bal(k)に基づいて行う送信電力制御を用いる、つまり異なる送信電力制御を使い分ける例を示したが、式５を用いて求めたSum P_bal(k)に基づいて送信電力制御がされており、通常モードのときにはf_gating =1、間欠送信モードのときにはf_gatingを１未満としてもよい。【０１６２】
次に、図１１を用いて、実施例３における動作を説明する。尚、従来の送信電力と同じ処理については、図２と同じステップ番号を付して説明を省略する。【０１６３】
実施例１の動作が従来の技術と異なる所は、ステップ４００からステップ４０２の処理である。まず、ステップ４００において、送信電力制御部２０５は、状態管理部２０７の通知から移動局が通常モードであるのか、又は間欠送信モードであるのかを判断する。そして、通常モードである場合には、ステップ１１０に進み、従来と同様な処理を行う。【０１６４】
一方、間欠送信モードである場合には、基地局制御局１から通知されたf_gatingを用いて（ステップ４０１）、式４に基づいて、Sum P_bal(k)を計算する（ステップ４０２）。そして、ステップ１１７に進み、従来と同様な処理を行う。【０１６５】
尚、間欠送信モード時の送信電力制御の開始時期については、前述した４つのいずれかの方法を用いる。【０１６６】
本実施例は、DPCCH gatingによりTPC信号が送信されずチャネル品質に基づいた高速な電力制御を行えない場合は、パワーバランシングのための電力調整も停止または緩やかに行うことを可能にする。従って、下りDPCCHの送信電力がパワーバランシングの基準電力値に引き寄せられ、目標品質を満足するために必要な電力よりも低過ぎる、または高過ぎる電力値となってしまうことを回避できる。すなわち、チャネル品質に基づいて制御された電力値を維持でき、移動局で所要SIRを満たすような電力制御が可能となる。その結果、無駄な干渉や移動局での個別チャネル品質劣化を低減でき、システムスループット並びにユーザスループットが改善できる。【０１６７】
また、本実施例では、移動局が通常モード時は通常のパワーバランシングのパラメータを適用するため、パワーバランシングの効果を高めることができる。
【実施例４】
【０１６８】
実施例４を説明する。実施例４は、基地局が上述した間欠送信モード時に制御信号が送信されるスロット数の割合に基づいて計算した、パワーバランシングの調整量の低減率を用いて、パワーバランシングの調整量を低くする例である。尚、上述した実施例１と同様な部分については説明を省略し、異なる部分について説明する。【０１６９】
記憶部１０１には各パラメータが記憶されている。記憶されているパラメータとしては、基地局が送信する共通パイロット信号の電力値P_CPICH、閉ループ送信電力制御による調整量（幅）ΔTPC、上り回線の閉ループ送信電力制御のための目標値である目標SIRがある。更に、パワーバランシングの制御に必要なパラメータとして、基準電力オフセット値P_ref、パワーバランシングによる調整割合（Adjustment ratio）r、パワーバランシングの調整期間（Adjustment period）Tint等が記憶されている。また、上述したDPCCH Gatingにおいて行われる所定の周期内（Ｎスロット）のうち、制御信号が送信されるｘスロットについても記憶されている。【０１７０】
また、基地局における送信電力制御部２０５では、DPCCH Gatingのパラメータ、すなわち周期Nと制御信号が送信されるスロット数xに基づいて、間欠送信モード間にパワーバランシング調整量を計算するために使用するパラメータf_gatingを計算する。ここでは、一例として、f_gating = x／Nと計算するものとするが、本発明に適用できる計算方法はこれだけには限られず、間欠送信モード中に制御信号が送信されるスロット数の割合に正の相関を持つような値となるようにする等の計算を行えばよい。【０１７１】
基地局の送信電力制御部２０５は、状態管理部２０７から通知される移動局４のモードの状態に応じて下り送信電力を制御する制御部であって、移動局４がDPCCH Gatingの通常モード時には、式１、式２に基づく送信電力制御を行う。【０１７２】
P(k) = P(k-1) + P_TPC(k) + P_bal(k)      式１
Sum P_bal = (1-r)*(P_ref + P_CPICH - P_init)      式２
一方、送信電力制御部２０５は、移動局４がDPCCH Gatingの間欠送信モード時には、基地局制御局１から通知されるf_gatingを用いて、式６に基づいて、Sum P_bal(k)を計算し、このSum P_bal(k)に基づいて、式１に基づく送信電力制御を行う。【０１７３】
Sum P_bal(k) = f_gating*(1-r)* (P_ref + P_P-CPICH - P_init)      式６
なお、上記では、通常モードでは式２を用いて求めたSum P_bal(k)に基づいて行う送信電力制御を用い、間欠送信モードでは式６を用いて求めたSum P_bal(k)に基づいて行う送信電力制御を用いる、つまり異なる送信電力制御を使い分ける例を示したが、式６を用いて求めたSum P_bal(k)に基づいて送信電力制御がされており、通常モードのときにはf_gating =1、間欠送信モードのときにはf_gatingを上述の方法で計算した値としてもよい。【０１７４】
次に、図１２を用いて、実施例４における動作を説明する。尚、従来の送信電力と同じ処理については、図２と同じステップ番号を付して説明を省略する。【０１７５】
実施例４の動作が従来の技術と異なる所は、ステップ５００からステップ５０２の処理である。まず、ステップ５００において、送信電力制御部２０５は、状態管理部２０７の通知から移動局が通常モードであるのか、又は間欠送信モードであるのかを判断する。そして、通常モードである場合には、ステップ１１０に進み、従来と同様な処理を行う。【０１７６】
一方、間欠送信モードである場合には、上述したf_gatingを用いて（ステップ４０１）、式６に基づいて、Sum P_bal(k)を計算する（ステップ５０２）。そして、ステップ１１７に進み、従来と同様な処理を行う。【０１７７】
尚、間欠送信モード時の送信電力制御の開始時期については、上述した４つのいずれかの方法を用いる。【０１７８】
本実施例は、DPCCH gatingによりTPC信号が送信されずチャネル品質に基づいた高速な電力制御を行えない場合は、パワーバランシングのための電力調整も停止または緩やかに行うことを可能にする。従って、下りDPCCHの送信電力がパワーバランシングの基準電力値に引き寄せられ、目標品質を満足するために必要な電力よりも低過ぎる、または高過ぎる電力値となってしまうことを回避できる。すなわち、チャネル品質に基づいて制御された電力値を維持でき、移動局で所要SIRを満たすような電力制御が可能となる。その結果、無駄な干渉や移動局での個別チャネル品質劣化を低減でき、システムスループット並びにユーザスループットが改善できる。【０１７９】
また、本実施例では、移動局が通常モード時は通常のパワーバランシングのパラメータを適用するため、パワーバランシングの効果を高めることができる。
【実施例５】
【０１８０】
実施例５を説明する。実施例５は、移動局に対して開始する通信（サービス）によって、DPCCH gatingを適用するか否かを決定し、DPCCH
gatingを適用する移動局に対しては、パワーバランシングによる調整割合がDPCCHでデータ送受信を行っている移動局に比して小さくなる、または、ゆっくりとなるようなパワーバランシングのパラメータを設定する。一方、DPCCH gatingを適用しない移動局に対しては、通常通りのパラメータを設定し、パワーバランシングを行う。【０１８１】
図１３は実施例５の基地局制御装置の構成図である。【０１８２】
基地局制御装置は、記憶部５０１と、適用判定部５０２と、制御部５０３とを備えている。【０１８３】
記憶部５０１には、上述した実施例で説明した各パラメータが記憶されているが、実施例５の特徴的なパラメータとして、DPCCH gatingを適用する移動局に対するパラメータも格納されている。具体的には、DPCCH gatingを適用する移動局に対するパワーバランシングによる調整割合rや、DPCCH gatingを適用する移動局に対する調整期間（Adjustment period）である。これらのrや、調整期間は、DPCCH gatingを適用しない移動局よりも大きく設定され、r=1と設定することで停止と同等の効果が得られる
適用判定部５０２は、コアネットワーク等より取得した移動局のサービスに基づいて、移動局に対してDPCCH gatingを適用するか、適用しないかを判定する判定部である。具体的には、DPCCH gatingは下り回線のデータ送信をHSDPA、上り回線のデータ送信をEUDCHを用いて行うサービスに対して適用され、例えば、上り／下り個別チャネルを用いてデータの送受信を行う通話などの回線交換を利用したサービスに対しては、DPCCH gatingは適用しない。一方、一般的にウェブ閲覧やVoIPなどパケット交換を利用したサービスに対するデータの送受信はHSDPA並びにEUDCHを用いて行う。このような場合、基地局制御装置はこの移動局に対してDPCCH gatingを適用する。【０１８４】
制御部５０３は、適用判定部５０２の判定結果を受けて、DPCCH gatingを適用しない移動局に対しては、通常のパラーバランシングのパラメータを記憶部５０１から読み出し、基地局に通知する。一方、DPCCH gatingを適用する移動局に対しては、DPCCH gatingを適用する場合のrや、調整期間等のパラメータを記憶部５０１から読み出し、基地局に通知する。【０１８５】
通知された基地局は、従来と同様に、通知されたパラメータに基づいて、移動局に対して送信電力制御を行う。【０１８６】
本実施例は、DPCCH gatingによりTPC信号が送信されずチャネル品質に基づいた高速な電力制御を行えない場合は、パワーバランシングのための電力調整も停止または緩やかに行うことを可能にする。従って、下りDPCCHの送信電力がパワーバランシングの基準電力値に引き寄せられ、目標品質を満足するために必要な電力よりも低過ぎる、または高過ぎる電力値となってしまうことを回避できる。すなわち、チャネル品質に基づいて制御された電力値を維持でき、移動局で所要SIRを満たすような電力制御が可能となる。その結果、無駄な干渉や移動局での個別チャネル品質劣化を低減でき、システムスループット並びにユーザスループットが改善できる。【０１８７】
また、本実施例は、移動局が間欠送信モードであるか否かに応じてパラメータを設定するする必要がないため、基地局の制御が容易になる。【０１８８】
また、本実施例は、移動局が間欠送信モードであるか否かを通知する信号が不要であるため、上り回線のオーバーヘッドを軽減できる。【０１８９】
また、本実施例は、移動局が間欠送信モードであるか否かをブラインドで検出する必要がないため、検出誤りによる誤動作がない。
【実施例６】
【０１９０】
実施例６を説明する。実施例６は、下りの電力制御において、TPCコマンドを実行する場合のみパワーバランシングを行う例である。【０１９１】
図１４は実施例６の基地局の構成図である。尚、上述した実施例の基地局と同様な構成のものについては同じ符号を付してある。【０１９２】
基本的な構成は、上述した実施例１の基地局と同じであるが、ＳＩＲ測定部６０１が各スロットのTPC信号（またはパイロット信号）のSIRを測定し、その結果を送信電力制御部６０２に通知する。例えば、SIRが所定の信頼度閾値以下に劣化している場合は、送信電力制御部６０２にその旨を通知する。【０１９３】
送信電力制御部６０２は、SIRが所定の信頼度閾値以下に劣化していない場合には、通常のパワーバランシングを行う。すなわち、式１、式２に基づく送信電力制御を行う。【０１９４】
P(k) = P(k-1) + P_TPC(k) + P_bal(k)      式１
Sum P_bal = (1-r)*(P_ref + P_CPICH - P_init)      式２
一方、SIRが所定の信頼度閾値以下に劣化している場合は、TPC信号並びにパワーバランシングによる調整値（P_bal）を送信電力に反映させない。すなわち、送信電力制御を行わない。【０１９５】
本実施例は、DPCCH gatingによりTPC信号が送信されずチャネル品質に基づいた高速な電力制御を行えない場合は、パワーバランシングのための電力調整も停止または緩やかに行うことを可能にする。従って、下りDPCCHの送信電力がパワーバランシングの基準電力値に引き寄せられ、目標品質を満足するために必要な電力よりも低過ぎる、または高過ぎる電力値となってしまうことを回避できる。すなわち、チャネル品質に基づいて制御された電力値を維持でき、移動局で所要SIRを満たすような電力制御が可能となる。その結果、無駄な干渉や移動局での個別チャネル品質劣化を低減でき、システムスループット並びにユーザスループットが改善できる。【０１９６】
また、本実施例は、移動局が通常モードである場合は、通常のパラメータを適用する場合とほぼ同等な制御となるため、パワーバランシングの効果を高めることができる。【０１９７】
また、本実施例は、移動局が間欠送信モードブか否かの検出が不要になるため、基地局制御が容易になる。【０１９８】
以上述べた通り、本発明の複数の基地局の送信電力のバランス調整を行うようなシステムにおける電力制御方法では、通常モードのような全てのスロットで信号が送信されているような、間欠送信モードのような信号を送信しないスロットが存在するような通信とで、送信電力をパワーバランシングの基準電力に近づける割合（調整速度）を変えていることを示した。【０１９９】
また、本発明の複数の基地局の送信電力のバランス調整を行うようなシステムにおける電力制御方法は、これら基地局に対する制御信号が送信されないスロットが存在する場合の第１のバランス調整方法と、制御信号が送信されないスロットが存在しない場合の第２のバランス調整方法との２つの調整方法が含んでいることを示した。【０２００】
しかし、本発明の複数の基地局の送信電力のバランス調整を行うようなシステムにおける電力制御方法は必ずしもこれらに限定されるものではない。【０２０１】
また、上記では、下り回線のパワーバランシングを前提として記載したが、回線の方向や、基地局または移動局と言った局の役割に必ずしも限定される必要はなく、少なくとも１つの送信局、一般的には２以上の送信局からの受信局に対する送信電力のパワーバランシングを行う場合にも本発明は適用することができる。【０２０２】
また、上記では送信電力制御に用いるパラメータである基地局制御装置が決定する基準電力オフセット値P_ref、基地局が送信する共通パイロット信号の電力値P_CPICH、r等、およびR_gating、r_gating、またはf_gatingは基地局制御装置が基地局に通知するとして記載している、これらパラメータの通知方法に本発明は限定されるものではなく、例えばこれらのパラメータは基地局に個別に設定されている、基地局毎に決定する、などとしても良い。
【図１】
2007111132.tif 000003
【図２】
2007111132.tif 000004
【図３】
2007111132.tif 000005
【図４】
2007111132.tif 000006
【図５】
2007111132.tif 000007
【図６】
2007111132.tif 000008
【図７】
2007111132.tif 000009
【図８】
2007111132.tif 000010
【図９】
2007111132.tif 000011
【図１０】
2007111132.tif 000012
【図１１】
2007111132.tif 000013
【図１２】
2007111132.tif 000014
【図１３】
2007111132.tif 000015
【図１４】
2007111132.tif 000016
【国際調査報告】
2007111132.tif 000017
2007111132.tif 000018
2007111132.tif 000019
2007111132.tif 000020